(57)【要約】この出願の実施形態は、データ送信方法及び関連する装置を提供する。方法は、第１のノードによって、その分類属性値が第１の周波数ブロック分類範囲に属する送信されるべきフレームを、第１の周波数ブロックを利用することによって、第２のノードに送信するステップを含み、第１の周波数ブロックは、第１のノードと第２のノードとの間の少なくとも２つの周波数ブロックのうちの１つであり、送信されるべきフレームの分類属性値は、次の情報、即ち、フレームタイプ、送信レート、サービスの品質、サービス品質アクセスカテゴリ、空間ストリーム、送信持続期間、データパケットフォーマット、又はデータパケット帯域幅のうちの少なくとも１つを含む。この出願の実施形態において、第１のノードは、その分類属性値が第１の周波数ブロック分類範囲に属する送信されるべきフレームを、第１の周波数ブロックを利用することによって第２のノードに送信する。この場合において、周波数ブロックのスループットレートは増加されることができ、又は、周波数ブロックの全体のレイテンシレベルは低減されることができ、それによって、上位レイヤサービス要件の達成度が改善する。
2021524702.tif 000002
【特許請求の範囲】
【請求項１】
第１のノードによって、送信されるべきフレームを取得するステップと、
前記第１のノードによって、その分類属性値が第１の周波数ブロック分類範囲に属する送信されるべきフレームを、第１の周波数ブロックを利用することによって第２のノードに送信するステップであって、前記第１の周波数ブロックは、前記第１のノードと前記第２のノードとの間の少なくとも２つの周波数ブロックの１つであり、前記送信されるべきフレームの前記分類属性値は、次の情報、即ち、フレームタイプ、送信レート、サービスの品質、サービス品質アクセスカテゴリ、空間ストリーム、送信持続期間、データパケットフォーマット、又はデータパケット帯域幅の少なくとも１つを含む、ステップと
を含む、データ送信方法。
【請求項２】
前記第１の周波数ブロック分類範囲は、次の条件、即ち、
前記フレームタイプがデータフレームであり、かつ、前記送信レートが、予め設定された送信レート分類閾値以下である、ことと、
前記フレームタイプがデータフレームであり、かつ、前記サービスの品質が、予め設定された品質分類閾値以下である、ことと
のうちの任意の１つ又は任意の組み合わせを含む、
請求項１に記載の方法。
【請求項３】
前記第１の周波数ブロック分類範囲は、
前記フレームタイプが、第１タイプフレームである、ことと、
前記第１タイプフレームは、プローブ要求フレーム、プローブ応答フレーム、関連付け要求フレーム、関連付け応答フレーム、認証フレーム、及び、第１のサービスをセットアップ又はティアダウンするために利用される管理フレーム、のうちの少なくとも１つを含み、前記第１のサービスは、トラフィックストリーム、沈黙時間期間、ターゲットウェイクアップ時間、トンネル化されたダイレクトリンクセットアップ、及び、ブロック肯定応答フレーム、のうちの少なくとも１つを含む、ことと
を含む、
請求項１又は２に記載の方法。
【請求項４】
前記第１の周波数ブロック分類範囲は、
前記フレームタイプが第３タイプフレームであり、前記第３タイプフレームは、第２の周波数ブロックにおいて、予め設定されたターゲット時間に、前記第２のノードによって利用される指示情報と、ダイアログトークンとを搬送する、こと
を含み、
前記方法は、
前記第１のノードによって、その分類属性値が第２の周波数ブロック分類範囲に属する送信されるべきフレームを、前記少なくとも２つの周波数ブロックにおける前記第２の周波数ブロックを利用することによって送信するステップ
をさらに含み、
前記第２の周波数ブロック分類範囲は、
前記フレームタイプが短い同期フレームであり、かつ、前記短い同期フレームは、前記第３タイプフレームに対応する前記ダイアログトークンを搬送する、ことと、
前記ダイアログトークンは、前記第２の周波数ブロックにおいて利用され、かつ前記第３タイプフレームにおいて搬送され、かつ前記短い同期フレームに対応する前記指示情報を、前記第２の周波数ブロックにおいて前記ターゲット時間に前記短い同期フレームを受信したときに読み取ること、を前記第２のノードに指示するために利用される、ことと
を含む、
請求項１〜３のいずれか１項に記載の方法。
【請求項５】
前記第３タイプフレームは、
第１のビーコンフレームであって、前記第１のビーコンフレームは、前記第２の周波数ブロックにおいて、前記ターゲット時間に利用されるビーコン情報を搬送する、第１のビーコンフレームと、
第１のスケジューリングフレームであって、前記第１のスケジューリングフレームは、前記第２の周波数ブロックにおいて、前記ターゲット時間に利用されるスケジューリング情報を搬送する、第１のスケジューリングフレームと
を含む、
請求項４に記載の方法。
【請求項６】
前記方法は、
前記第１のノードによって、その分類属性値が第２の周波数ブロック分類範囲に属する送信されるべきフレームを、前記少なくとも２つの周波数ブロックにおける第２の周波数ブロックを利用することによって送信するステップであって、前記第２の周波数ブロックは、前記第１のノードと前記第２のノードとの間の前記少なくとも２つの周波数ブロックの他の１つである、ステップ
をさらに含む、
請求項１〜３のいずれか１項に記載の方法。
【請求項７】
前記第２の周波数ブロック分類範囲は、
前記フレームタイプは、第２タイプフレームであり、かつ、前記第２タイプフレームは、前記第２の周波数ブロックにおける同期機能を実装するために利用される同期タイプフレームを含む、こと
を含む
請求項６に記載の方法。
【請求項８】
前記同期タイプフレームは、次のもの、即ち、
前記第２の周波数ブロックにおいて送信されるために利用されるビーコンフレームと、
前記第２の周波数ブロックのスケジューリング情報を搬送するスケジューリングフレームと
のうちの少なくとも１つを含む、
請求項７に記載の方法。
【請求項９】
前記第１の周波数ブロック分類範囲は、次の条件、即ち、
前記送信レートは、予め設定された送信レート分類閾値以下である、ことと、
前記サービスの品質は、予め設定されたサービス品質分類閾値以下である、ことと
のうちの任意の１つ又は任意の組み合わせを含む、
請求項４〜８のいずれか１項に記載の方法。
【請求項１０】
前記第１の周波数ブロック分類範囲は、次の条件、即ち、
前記送信持続期間は、予め設定された持続期間分類閾値以上である、ことと、
前記サービス品質アクセスカテゴリは、予め設定された分類アクセスカテゴリに属する、ことと、
前記パケットフォーマットは、予め設定された分類パケットフォーマットに属する、ことと
のうちの任意の１つ又は任意の組み合わせである、
請求項１〜９のいずれか１項に記載の方法。
【請求項１１】
前記方法は、
前記第１のノードによって、その分類属性値が前記第１の周波数ブロック分類範囲に属さない送信されるべきフレームを、前記少なくとも２つの周波数ブロックの任意の１つを利用することによって、前記第２のノードに送信するステップ
をさらに含む、
請求項１〜３のいずれか１項に記載の方法。
【請求項１２】
データ送信装置であって、前記装置は、
送信されるべきフレームを取得するために第１のノードによって利用される、処理モジュールと、
その分類属性値が第１の周波数ブロック分類範囲に属する送信されるべきフレームを、第１の周波数ブロックを利用することによって、第２のノードに送信するために前記第１のノードによって利用される、トランシーバモジュールと
を備え、
前記第１の周波数ブロックは、前記第１のノードと前記第２のノードとの間の少なくとも２つの周波数ブロックのうちの１つであり、前記送信されるべきフレームの前記分類属性値は、次の情報、即ち、フレームタイプ、送信レート、サービスの品質、サービス品質アクセスカテゴリ、空間ストリーム、送信持続期間、データパケットフォーマット、又はデータパケット帯域幅のうちの少なくとも１つを含む、
データ送信装置。
【請求項１３】
前記第１の周波数ブロック分類範囲は、次の条件、即ち、
前記フレームタイプは、データフレームであり、かつ、前記送信レートは、予め設定されたレート分類閾値以下である、ことと、
前記フレームタイプは、データフレームであり、かつ、前記サービスの品質は、予め設定された品質分類閾値以下である、ことと
のうちの任意の１つ又は任意の組み合わせを含む、
請求項１２に記載の装置。
【請求項１４】
前記第１の周波数ブロック分類範囲は、
前記フレームタイプは、第１タイプフレームである、ことと、
前記第１タイプフレームは、プローブ要求フレーム、プローブ応答フレーム、関連付け要求フレーム、関連付け応答フレーム、認証フレーム、及び、第１のサービスをセットアップ又はティアダウンするために利用される管理フレーム、のうちの少なくとも１つを含み、前記第１のサービスは、トラフィックストリーム、沈黙時間期間、ターゲットウェイクアップ時間、トンネル化されたダイレクトリンクセットアップ、及びブロック肯定応答フレーム、のうちの少なくとも１つを含む、ことと
を含む、
請求項１２又は１３に記載の装置。
【請求項１５】
前記第１の周波数ブロック分類範囲は、
前記フレームタイプは、第３タイプフレームであり、前記第３タイプフレームは、第２の周波数ブロックにおいて、予め設定されたターゲット時間に、前記第２のノードによって利用される指示情報と、ダイアログトークンとを搬送する、ことと、
前記トランシーバモジュールは、その分類属性値が第２の周波数ブロック分類範囲に属する送信されるべきフレームを、前記少なくとも２つの周波数ブロックにおける前記第２の周波数ブロックを利用することによって送信するようにさらに構成される、ことと
を含み、
前記第２の周波数ブロック分類範囲は、
前記フレームタイプは、短い同期フレームであり、かつ前記短い同期フレームは、前記第３タイプフレームに対応する前記ダイアログトークンを搬送する、ことと、
前記ダイアログトークンは、前記第２の周波数ブロックにおいて利用され、かつ、前記第３タイプフレームにおいて搬送され、かつ、前記短い同期フレームに対応する前記指示情報を、前記第２の周波数ブロックにおいて前記ターゲット時間に前記短い同期フレームを受信したときに読み取るように、前記第２のノードに指示するために利用される、ことと
を含む、
請求項１２〜１４のいずれか１項に記載の装置。
【請求項１６】
前記第３タイプフレームは、
第１のビーコンフレームであって、前記第１のビーコンフレームは、前記第２の周波数ブロックにおいて、前記ターゲット時間に利用されるビーコン情報を搬送する、第１のビーコンフレームと、
第１のスケジューリングフレームであって、前記第１のスケジューリングフレームは、前記第２の周波数ブロックにおいて、前記ターゲット時間に利用されるスケジューリング情報を搬送する、第１のスケジューリングフレームと
を含む、
請求項１５に記載の装置。
【請求項１７】
前記トランシーバユニットは、
その分類属性値が第２の周波数ブロック分類範囲に属する送信されるべきフレームを、前記少なくとも２つの周波数ブロックにおける前記第２の周波数ブロックを利用することによって送信するようにさらに構成され、
前記第２の周波数ブロックは、前記第１のノードと前記第２のノードとの間の前記少なくとも２つの周波数ブロックの他の１つである、
請求項１２〜１４のいずれか１項に記載の装置。
【請求項１８】
前記第２の周波数ブロック分類範囲は、
前記フレームタイプは、第２タイプフレームであり、かつ前記第２タイプフレームは、前記第２の周波数ブロックにおける同期機能を実装するために利用される同期タイプフレームを含む、こと
を含む、
請求項１７に記載の装置。
【請求項１９】
前記同期タイプフレームは、次のもの、即ち、
前記第２の周波数ブロックにおいて送信されるために利用されるビーコンフレームと、
前記第２の周波数ブロックのスケジューリング情報を搬送するスケジューリングフレームと
の少なくとも１つを含む、
請求項１８に記載の装置。
【請求項２０】
前記第１の周波数ブロック分類範囲は、次の条件、即ち、
前記送信レートは、予め設定された送信レート分類閾値以下である、ことと、
前記サービスの品質は、予め設定されたサービス品質分類閾値以下である、ことと
のうちの任意の１つ又は任意の組み合わせを含む、
請求項１５〜１９のいずれか１項に記載の装置。
【請求項２１】
前記第１の周波数ブロック分類範囲は、次の条件、即ち、
前記送信持続期間は、予め設定された持続期間分類閾値以上である、ことと、
前記サービス品質アクセスカテゴリは、予め設定された分類アクセスカテゴリに属する、ことと、
前記パケットフォーマットは、予め設定された分類パケットフォーマットに属する、ことと
のうちの任意の１つ又は任意の組み合わせを含む、
請求項１２〜２０のいずれか１項に記載の装置。
【請求項２２】
前記トランシーバユニットは、
前記第１のノードによって、その分類属性値が前記第１の周波数ブロック分類範囲に属さない送信されるべきフレームを、前記少なくとも２つの周波数ブロックの任意の１つを利用することによって前記第２のノードに送信する
ようにさらに構成される、
請求項１２〜１４のいずれか１項に記載の装置。
【発明の詳細な説明】
【技術分野】
【０００１】
本出願は、通信技術の分野に関し、特に、データ送信方法、及び関連する装置に関する。
【背景技術】
【０００２】
無線通信技術の迅速な開発及びモバイル端末の大衆化とともに、無線通信に基づく様々な情報探索及び情報交換の方式が日常生活でますます広く利用されている。
【０００３】
無線通信の分野では、通信デバイスは、ノードと呼ばれることがある。データが無線方式で、ノード間で送信されるとき、ノードはいくつかの無線送信リソースを利用する必要がある。例えば、第１のノードは、第２のノードにデータを送信し、第１のノードは、第１のノードが第２のノードと取り決める周波数ブロック中の無線送信リソースを利用することによって第２のノードにデータを送信し得る。
【０００４】
現在、ノード間でのデータ送信の処理では、周波数ブロックのスループットレートは比較的低く、周波数ブロックの全体的なレイテンシレベルは比較的高い。従って、上位レイヤサービス要件の満足度は低い。
【発明の概要】
【０００５】
本出願は、サービス要件の満足度を改善するためのデータ送信方法及び関連する装置を提供する。
【０００６】
第１の態様によれば、本出願の実施形態は、データ送信方法を提供する。方法は、
第１のノードによって、送信されるべきフレームを取得するステップと、
第１のノードによって、第１の周波数ブロックを利用することによって、その分類属性値が第１の周波数ブロック分類範囲に属する送信されるべきフレームを、第２のノードに送信するステップであって、第１の周波数ブロックは、第１のノードと第２のノードとの間の少なくとも２つの周波数ブロックのうちの１つであり、送信されるべきフレームの分類属性値は、次の情報、即ち、フレームタイプ、送信レート、サービス品質、サービス品質アクセスカテゴリ、空間ストリーム、送信持続時間、データパケットフォーマット、又はデータパケット帯域幅のうちの少なくとも１つを含む、ステップと、
を含む。
【０００７】
第１のノードは、第１の周波数ブロックを利用することによって、その分類属性値が第１の周波数ブロック分類範囲に属する送信されるべきフレームを第２のノードに送信する。送信されるべきフレームを送信するために利用される周波数ブロックは、送信されるべきフレームのフレームタイプ、送信レート、サービス品質、空間ストリーム、送信持続時間、データパケットフォーマット、又はデータパケット帯域幅などの分類属性値のうちの少なくとも１つに基づいて第１のノード及び第２のノードにおいて決定される。この場合、比較的低い送信レートと比較的低いサービス品質とをもつフレームなどの周波数ブロックスループットレートと平均レイテンシとに影響を及ぼすフレームは、送信のために１つの周波数ブロックに集中され得るし、比較的高い送信レートと比較的高いサービス品質とをもつフレームは、送信のために他の周波数ブロックに集中されることができる。このようにして、周波数ブロックのスループットレートが増加されることができるか、又は周波数ブロックの全体的なレイテンシレベルが低減されることができ、それによって、上位レイヤサービス要件の満足度を改善する。
【０００８】
第１の態様に関して、第１の態様の第１の可能な実装では、第１の周波数ブロック分類範囲は、次の条件、即ち、
フレームタイプがデータフレームであり、かつ、送信レートが、予め設定されたレート分類閾値以下である、ことと、
フレームタイプがデータフレームであり、かつ、サービス品質が、予め設定された品質分類閾値以下である、ことと
のうちの１つ又は任意の組み合わせを含む。
【０００９】
第１の態様又は第１の態様の第１の可能な実装に関して、第１の態様の第２の実装では、第１の周波数ブロック分類範囲は、
フレームタイプが第１タイプフレームである、ことと、
第１タイプフレームが、プローブ要求フレームと、プローブ応答フレームと、関連付け要求フレームと、関連付け応答フレームと、認証フレームと、第１のサービスをセットアップ又はティアダウンするために利用される管理フレームと、のうちの少なくとも１つを含み、第１のサービスは、トラフィックストリームと、沈黙時間期間と、ターゲットウェイクアップ時間と、トンネル化されたダイレクトリンクセットアップと、ブロック肯定応答フレームと、のうちの少なくとも１つを含む、ことと
を含む。
【００１０】
第１の態様又は第１の態様の第１から第２の可能な実装のうちの任意の１つに関して、第１の態様の第３の可能な実装では、第１の周波数ブロック分類範囲は、フレームタイプが、第３タイプフレームであり、第３タイプフレームは、予め設定されたターゲット時間に第２の周波数ブロックで、第２のノードによって利用される指示情報と、ダイアログトークンとを搬送する、ことを含み、
方法は、
第１のノードによって、少なくとも２つの周波数ブロックのうちの第２の周波数ブロックを利用することによって、その分類属性値が第２の周波数ブロック分類範囲に属する送信されるべきフレームを送信するステップをさらに含み、
第２の周波数ブロック分類範囲は、フレームタイプが短い同期フレームであり、かつ、短い同期フレームが、第３タイプフレームに対応するダイアログトークンを搬送する、ことと、ダイアログトークンは、第２の周波数ブロックにおいて利用され、かつ第３タイプフレームにおいて搬送され、かつ短い同期フレームに対応する指示情報を、ターゲット時間に第２の周波数ブロックで短い同期フレームを受信したときに読み取るように第２のノードに指示するために利用される、ことと
を含む。
【００１１】
第１の態様の第３の可能な実装に関して、第１の態様の第４の可能な実装では、第３タイプフレームは、
第１のビーコンフレームであって、第１のビーコンフレームは、ターゲット時間に第２の周波数ブロックにおいて利用されるビーコン情報を搬送する、第１のビーコンフレームと、
第１のスケジューリングフレームであって、第１のスケジューリングフレームは、ターゲット時間に第２の周波数ブロックにおいて利用されるスケジューリング情報を搬送する、第１のスケジューリングフレームと
を含む。
【００１２】
第１の態様又は第１の態様の第１から第２の可能な実装のうちの任意の１つに関して、第１の態様の第５の可能な実装では、方法は、
第１のノードによって、少なくとも２つの周波数ブロックのうちの第２の周波数ブロックを利用することによって、その分類属性値が第２の周波数ブロック分類範囲に属する送信されるべきフレームを送信するステップであって、
第２の周波数ブロックは、第１のノードと第２のノードとの間の少なくとも２つの周波数ブロックのうちの他の１つである、ステップ
をさらに含む。
【００１３】
第１の態様の第５の可能な実装に関して、第１の態様の第６の可能な実装では、第２の周波数ブロック分類範囲は、フレームタイプが、第２タイプフレームであり、かつ、第２タイプフレームが、第２の周波数ブロックにおける同期機能を実装するために利用される同期タイプフレームを含む、ことを含む。
【００１４】
第１の態様の第６の可能な実装に関して、第１の態様の第７の可能な実装では、同期タイプフレームは、次のもの、即ち、
第２の周波数ブロックにおいて送信されるために利用されるビーコンフレームと、
第２の周波数ブロックのスケジューリング情報を搬送するスケジューリングフレームと
のうちの少なくとも１つを含む。
【００１５】
第１の態様の第３から第７の可能な実装のうちの任意の１つに関して、第１の態様の第７の可能な実装では、第１の周波数ブロック分類範囲は、次の条件、即ち、
送信レートが、予め設定された送信レート分類閾値以下である、ことと、
サービス品質が、予め設定されたサービス品質分類閾値以下である、ことと
のうちの任意の１つ又は任意の組み合わせを含む。
【００１６】
第１の態様又は第１の態様の第１から第７の可能な実装のうちの任意の１つに関して、第１の態様の第８の可能な実装では、第１の周波数ブロック分類範囲は、次の条件、即ち、
送信持続時間が、予め設定された持続時間分類閾値以上である、ことと、
サービス品質アクセスカテゴリが、予め設定された分類アクセスカテゴリに属する、ことと、
パケットフォーマットが、予め設定された分類パケットフォーマットに属する、ことと
のうちの任意の１つ又は任意の組み合わせを含む。
【００１７】
第１の態様又は第１の態様の第１から第２の可能な実装のうちの任意の１つに関して、第１の態様の第９の可能な実装では、方法は、
第１のノードによって、少なくとも２つの周波数ブロックのうちの任意の１つを利用することによって、その分類属性値が第１の周波数ブロック分類範囲に属さない送信されるべきフレームを第２のノードに送信するステップ
をさらに含む。
【００１８】
第１の態様又は第１の態様の第１から第９の可能な実装のうちの任意の１つに関して、第１の態様の第１０の可能な実装では、第１のノードによって第１の周波数ブロックを利用することによって、その分類属性値が第１の周波数ブロック分類範囲に属する送信されるべきフレームを第２のノードに送信するステップの前に、方法は、
第１のノードによって、第１の周波数ブロックにおいて第２のノードにマルチバンド有効化要求を送信し、そして、第１の周波数ブロックにおいて第２のノードによって送信されたマルチバンド有効化応答を受信するステップ、又は
第１のノードによって、第１の周波数ブロックにおいて第２のノードによって送信されたマルチバンド有効化要求を受信し、そして、第１の周波数ブロックにおいて第２のノードにマルチバンド有効化応答を送信するステップ
をさらに含む。
【００１９】
第２の態様によれば、本出願の実施形態は、データ送信装置を提供する。装置は、処理モジュールとトランシーバモジュールとを含む。処理ユニットは、第１の態様又は第１の態様の可能な設計のうちの任意の１つにおける方法を実行するように装置を制御するために命令を実行する。
【００２０】
可能な実装では、装置は、ストレージモジュールをさらに含み得る。
【００２１】
可能な実装では、装置は、第１のノードであり得るか、又は第１のノード中のチップであり得る。
【００２２】
装置が第１のノードであるとき、処理モジュールは、プロセッサであり得るし、トランシーバモジュールは、トランシーバであり得る。ストレージモジュールがさらに含まれる場合、ストレージモジュールは、メモリであり得る。
【００２３】
装置が第１のノード中のチップであるとき、処理モジュールは、プロセッサであり得るし、トランシーバモジュールは、入出力インターフェース、ピン、回路などであり得る。ストレージモジュールがさらに含まれる場合、ストレージモジュールは、チップ内のストレージモジュール（例えば、レジスタ又はキャッシュ）であり得るし、又はチップ外のストレージモジュール（例えば、読取り専用メモリ又はランダムアクセスメモリ）であり得る。
【００２４】
上記の任意の場所で言及されたプロセッサは、汎用中央処理ユニット（Ｃｅｎｔｒａｌ  Ｐｒｏｃｅｓｓｉｎｇ  Ｕｎｉｔ、略してＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略してＡＳＩＣ）、又は上記の態様における空間多重化方法のプログラム実行を制御するように構成された１つ又は複数の統合回路であり得る。
【００２５】
第３の態様によれば、本出願は、コンピュータ可読記憶媒体を提供する。コンピュータ可読記憶媒体は、命令を記憶し、ここで、命令は、処理回路中の１つ又は複数のプロセッサによって実行され得る。命令がコンピュータ上で実行されるとき、コンピュータは、第１の態様又は第１の態様の可能な実装のうちの任意の１つにおける方法を実行することを可能にされる。
【００２６】
第４の態様によれば、命令を含むコンピュータプログラム製品が提供される。コンピュータプログラム製品がコンピュータ上で実行されるとき、コンピュータは、第１の態様又は第１の態様の可能な実装のうちの任意の１つによる方法を実行することを可能にされる。
【図面の簡単な説明】
【００２７】
本出願又は従来技術における技術的な解決法をより明確に説明するために、以下は、実施形態又は従来技術を説明するために添付の図面を簡単に説明する。明らかに、以下の説明における添付の図面は、本出願のいくつかの実施形態を示し、当業者は、依然として、創造的な取り組みなしにこれらの添付の図面から他の図面を導出し得る。
【００２８】
【図１】ネットワークアーキテクチャの概略図である。
【図２】本出願による、データ送信方法の概略フローチャート１である。
【図３】本出願による、データ送信方法のフローチャート２である。
【図４】本出願による、データ送信方法の概略フローチャート１である。
【図５】本出願による、データ送信方法の対話フローチャート１である。
【図６】本出願による、関連付け方式の概略フローチャートである。
【図７】トリガフレームを利用することによって、アップリンクデータを送信するようにＳＴＡをトリガすることの概略フローチャートである。
【図８】本出願による、データ送信方法の概略フローチャート２である。
【図９】ＲＴＳ／ＣＴＳを利用することによってデータ送信を実行することの概略フローチャートである。
【図１０】本出願による、データ送信方法の概略フローチャート３である。
【図１１】本出願による、データ送信方法の概略フローチャート４である。
【図１２】ノードの概略構造図である。
【図１３】本出願の実施形態による、ノード装置１３００の概略ブロック図である。
【図１４】本出願の実施形態による、ノード側の他の通信装置１４００の概略ブロック図である。
【発明を実施するための形態】
【００２９】
本出願の実装において利用される用語は、本出願の特定の実施形態について説明するためにのみ利用され、本出願を限定するものではない。
【００３０】
本出願で提供されるデータ送信方法は、無線通信技術の複数の分野、例えば、無線ローカルエリアネットワーク（ＷＬＡＮ）の分野において利用され得る。本出願では、ノードは、マルチバンド無線通信をサポートするネットワークデバイス、例えば、端末、基地局、及びサーバであり得る。無線通信技術の分野において解決される必要がある問題は、連続的に発展するサービスの要件を満たすためにスループットレートを改善し、ノード間のエアインターフェースを介したデータ送信中のレイテンシを低減することである。
【００３１】
以下は、本出願で提供されるデータ送信方法の適用シナリオについて手短に説明する。
【００３２】
実際のエアインターフェース送信シナリオでは、例えば、街中において、送信レートが１Ｍｂｐｓ（Ｍｅｇａ−ｂｉｔ  Ｐｅｒ  Ｓｅｃｏｎｄ、メガビット毎秒）及び２Ｍｂｐｓであるデータパケットが全てのデータパケットの７５％を占める。これらの低レートのデータパケットは、通常、管理フレーム及び制御フレームである。管理フレームと制御フレームとは、周波数ブロック管理、データ受信及び送信の制御、消音設定などの制御情報を搬送するために利用され得る。これらの管理フレームと制御フレームとは、通常、比較的信頼できる方式で送信される。従って、送信レートは比較的低くなり得るか、又はエアインターフェース占有時間は比較的長くなる。例えば、管理フレームと制御フレームとは、
ＢＳＳ（Ｂａｓｉｃ  Ｓｅｒｖｉｃｅ  Ｓｅｔ、セルに相当する基本サービスセット）全体の局（Ｓｔａｔｉｏｎ、ＳＴＡ）にセルの対応する情報をブロードキャストするためにアクセスポイント（ＡＰ、Ａｃｃｅｓｓ  Ｐｏｉｎｔ）によって利用されるビーコン（Ｂｅａｃｏｎ）フレームであって、セルの対応する情報は、ＢＳＳ識別情報、能力情報、動作情報、タイムスタンプなどを含む、ビーコンフレームと、
データフレームを肯定応答するために利用される肯定応答（Ａｃｋｎｏｗｌｅｄｇｅ、ＡＣＫ）フレーム／ブロック肯定応答（Ｂｌｏｃｋ  Ａｃｋｎｏｗｌｅｄｇｅ、ＢＡ）フレームと、
送信端と受信端との間でのデータ送信を保証するために送信機会（Ｔｒａｎｓｍｉｔ  Ｏｐｐｏｒｔｕｎｉｔｙ、ＴＸＯＰ）を予約するために利用される送信要求（Ｒｅｑｕｅｓｔ  ｔｏ  Ｓｅｎｄ、ＲＴＳ）フレーム／送信可（Ｃｌｅａｒ  ｔｏ  Ｓｅｎｄ、ＣＴＳ）フレームと
を含み得る。
【００３３】
これらの低レートのデータパケットはエアインターフェースを介して送信時間の大部分を占有して、ＢＳＳ全体のスループットを大幅に低減し、データ送信レイテンシを増加させる。例えば、８０２．１１ａｘ標準において定義されている最大サポートデータレートは、９．６Ｇｂｐｓ（Ｇｉｇａ−ｂｉｔ  Ｐｅｒ  Ｓｅｃｏｎｄ、ギガビット毎秒）である。即ち、高速データ送信が同じ時間期間中にこのレートで実行されるとき、非常に大きいスループットレートが、取得されることができ、レイテンシが低減されることができる。
【００３４】
現在、極めて高いスループットレートと極めて低いレイテンシとを必要とするこれらのサービス、例えば、８Ｋビデオ、ＶＲ（Ｖｉｒｔｕａｌ  Ｒｅａｌｉｔｙ、バーチャルリアリティ）、又はＡＲ（Ａｕｇｍｅｎｔｅｄ  Ｒｅａｌｉｔｙ、拡張現実）をサポートするためにスループットレートを改善し、レイテンシを低減する緊急の必要がある。
【００３５】
本出願で提供されるデータ送信方法では、マルチバンド送信が第１のノードと第２のノードとの間で実行され得る。例えば、送信されるべきデータは、ＭＡＣレイヤのＭＡＣフレームである。第１のノードは、ＭＡＣレイヤのＭＡＣフレームを生成又は取得し得るし、次いで、物理レイヤ（ＰＨＹ）の少なくとも２つの周波数ブロックを利用することによって第２のノードにＭＡＣフレーム中に含まれたデータを送信する。
【００３６】
本出願では、マルチバンド送信に基づいて、ＭＡＣフレームを送信するとき、データを送信する必要がある第１のノードは、送信されるべきフレームのフレームタイプ、送信レート、サービス品質、空間ストリーム、送信持続時間、データパケットフォーマット、又はデータパケット帯域幅などの少なくとも１つの分類属性値に基づいて第１のノード及び第２のノード中の送信されるべきフレームを送信するために利用される周波数ブロックを決定し得る。周波数ブロックスループットレートと平均レイテンシとに影響を及ぼす比較的低い送信レートと比較的低いサービス品質とをもつＭＡＣフレームは、送信のために１つ周波数ブロック中に集中され、従って、比較的高い送信レートと比較的高いサービス品質とをもつＭＡＣフレームは、集中方式で他の周波数ブロック中で送信されることができる。このようにして、他の周波数ブロックのスループットレートとノード間のスループットレートとが改善されることができ、ノード間の平均レイテンシが低減され、それによって、サービス要件の満足度を改善することができる。
【００３７】
以下は、本出願で提供されるデータ送信方法のネットワーク構造について手短に説明する。
【００３８】
図１は、ネットワークアーキテクチャの概略図である。例えば、複数の基本サービスセット（ＢＳＳ）を含むＷＬＡＮシナリオでは、ネットワークのシステム構造は、複数のノードを含み得る。ノードは、ネットワーク側のデバイスであることも、端末側のデバイスであることもある。ネットワーク側のデバイスは、例えば、アクセスポイント（Ａｃｃｅｓｓ  Ｐｏｉｎｔ、ＡＰ）であり得るし、端末側のデバイスは、例えば、局（Ｓｔａｔｉｏｎ、ＳＴＡ）であり得る。各ＡＰとＡＰに関連するＳＴＡとは、ＢＳＳを形成する。ネットワークでは、複数のノードが互いに通信し得る。例えば、複数のＡＰが複数のＡＰと通信し得るし、複数のＳＴＡが複数のＳＴＡと通信し得るし、複数のＡＰが複数のＳＴＡと通信することもある。
【００３９】
本出願で提供されるデータ送信方法は、複数のノードが複数のノードとの送信を実行する、例えば、複数のＡＰが、複数のＡＰとの送信を実行し、複数のＳＴＡが、複数のＳＴＡとの送信を実行し、複数のＡＰが、複数のＳＴＡとの送信を実行するエアインターフェース送信シナリオにおいて利用され得る。
【００４０】
以下に、本出願で提供されるデータ送信方法について詳細に説明する。
【００４１】
実施形態１
図２は、本出願による、データ送信方法の概略フローチャート１である。本出願のこの実施形態は、第１のノードによって実行され得る。図２に示されるように、本出願のこの実施形態は、以下のステップを含み得る。
【００４２】
Ｓ２０１．第１のノードは、送信されるべきフレームを取得する。
【００４３】
Ｓ２０２．第１のノードは、第１の周波数ブロックを利用することによって、分類属性値が第１の周波数ブロック分類範囲に属する送信されるべきフレームを、第２のノードに送信する。
【００４４】
第１の周波数ブロックは、第１のノードと第２のノードとの間の少なくとも２つの周波数ブロックのうちの１つであり、送信されるべきフレームの分類属性値は、フレームタイプ、送信レート、サービス品質、サービス品質アクセスカテゴリ、空間ストリーム、送信持続時間、データパケットフォーマット、又はデータパケット帯域幅の情報のうちの少なくとも１つを含む。
【００４５】
Ｓ２０３．第１のノードは、少なくとも２つの周波数ブロックのうちの任意の１つを利用することによって分類属性値が第１の周波数ブロック分類範囲に属さない送信されるべきフレームを送信する。
【００４６】
本出願では、第１のノードは、ＡＰ又はＳＴＡであり得るし、第２のノードは、ＡＰ又はＳＴＡであり得る。言い換えれば、本出願で提供されるデータ送信方法は、ＡＰ間のデータ送信において利用され得るか、又はＳＴＡ間のデータ送信において利用され得るか、又はさらにＡＰとＳＴＡとの間のデータ送信において利用され得る。本出願の他の実施形態では、第１のノードと第２のノードとは、代替として、通信サーバ、ルータ、スイッチ、ブリッジ、コンピュータ、モバイルフォンなどであり得る。
【００４７】
本出願では、第１のノードは、送信されるべきデータに基づいて送信されるべきフレームを取得又は生成し得る。送信されるべきデータは、例えば、サービスデータ又はシグナリングデータであり得る。例えば、送信されるべきフレームは、ＭＡＣフレームであり得るし、送信されるべきデータは、ＭＡＣレイヤの上位レイヤから取得されたパケットデータ又はＭＡＣレイヤの管理又はサービス制御要件に基づいて生成された管理データ及び制御データであり得る。送信されるべきフレームが取得された後、送信されるべきフレームは、ＰＨＹレイヤを利用することによって周波数ブロック中で第２のノードに送信される必要がある。
【００４８】
本出願では、第１のノードは、分類基準を予め設定し得るし、分類基準は、少なくとも２つの周波数ブロックのうちの少なくとも１つに対応する周波数ブロック分類範囲を含み得る。分類基準は、分類基準中の各周波数ブロックに対応する周波数ブロック分類範囲に基づいて少なくとも２つの周波数ブロック中でそれぞれの送信されるべきフレームを送信するためのターゲット周波数ブロックを決定するために第１のノードによって利用され得る。例えば、第１のノードは、送信されるべきフレームのフレームタイプと送信レートとに基づいて送信されるべきフレームのためのターゲット周波数ブロックを決定し得る。送信されるべきフレームがデータフレームであり、送信レートが予め設定されたレート分類閾値以下である場合、第１のノードは、送信されるべきフレームのターゲット周波数ブロックとして第１の周波数ブロックを決定する。
【００４９】
本出願では、分類属性値が第１の周波数ブロック分類範囲に属さない送信されるべきフレームは、少なくとも２つの周波数ブロック中の第２の周波数ブロック又は第１の周波数ブロックを利用することによって送信され得る。例えば、第１の周波数ブロック分類範囲を満たさない複数の送信されるべきフレームがある場合、第１の周波数ブロック分類範囲を満たさない複数の送信されるべきフレームは全て第２の周波数ブロックを利用して送信され得るか、又は全ての複数の送信されるべきフレームは、第１の周波数ブロックを利用することによって送信されるか、又は複数の送信されるべきフレームの一部は、第２の周波数ブロックを利用することによって送信され得るし、一部は、第１の周波数ブロックを利用することによって送信される。
【００５０】
例えば、少なくとも２つの周波数ブロックは、第１の周波数ブロックと第２の周波数ブロックとを含む。表１−１は、分類基準の概略図である。
【００５１】
【表１】
2021524702.tif 000003
【００５２】
第１の周波数ブロック分類範囲は、第１の周波数ブロックに対応する周波数ブロック分類範囲である。
【００５３】
表１−２は、分類基準の他の概略図である。
【００５４】
【表２】
2021524702.tif 000004
【００５５】
代替として、表１−２に示された分類基準によれば、分類属性値が第１の周波数ブロック分類範囲に属さない送信されるべきフレームが第２の周波数ブロックを利用することによって第１のノードに送信されると決定され得る。
【００５６】
本出願は、第１の周波数ブロック分類範囲の複数の実装を提供する。
【００５７】
例では、第１の周波数ブロック分類範囲は、次の条件、即ち、
フレームタイプはデータフレームであり、送信レートは、予め設定された送信レート分類閾値以下である、ことと、
フレームタイプはデータフレームであり、サービス品質は、予め設定されたサービス品質分類閾値以下である、ことと
のうちの任意の１つ又は任意の組み合わせを含み得る。
【００５８】
上記の複数の条件の組み合わせは、複数の条件の共通部分セット又は和集合セットであり得ることに留意されたい。
【００５９】
本出願のこの実施形態では、送信されるべきフレームのサービス品質は、事前に分割されたいくつかのサービス品質クラスのうちの１つであり得るし、サービス品質分類閾値は、いくつかのサービス品質クラスのうちの１つであり得る。例えば、いくつかのサービス品質クラスは、昇順で分類され得るし、サービス品質分類閾値は、中位にランク付けされたサービス品質クラスであり得る。
【００６０】
本出願中において提供される実装では、第１のノードが、第１の周波数ブロックを利用することによって、分類属性値が第１の周波数ブロック分類範囲に属する送信されるべきフレームを、第２のノードに送信することは、
送信されるべきフレームがデータフレームであり、送信レートが予め設定された送信レート分類閾値以下である場合、第１のノードは、第１の周波数ブロック中で送信されるべきフレームを送信することと、
送信されるべきフレームがデータフレームであり、サービス品質が予め設定されたサービス品質分類閾値以下である場合、第１のノードは、第１の周波数ブロック中で送信されるべきフレームを送信することと
を含み得る。
【００６１】
表１−３は、第１の周波数ブロック分類範囲の概略図である。
【００６２】
【表３】
2021524702.tif 000005
【００６３】
「分類なし」は、フレームタイプが管理フレーム又は制御フレームであるときに、管理フレーム又は制御フレームが第１の周波数ブロックに対応するとき、第１の周波数ブロックが送信のために利用されるか、又は管理フレーム又は制御フレームが第２の周波数ブロックに対応するとき、第２の周波数ブロックが送信のために利用されることを意味することに留意されたい。
【００６４】
第１の周波数ブロック分類範囲を設定する方式は、高速道路上で、低速トラックが低速レーンのみで走行することが許可され、高速車が高速レーン上で走行することを許可されるか、又は車が高速レーンと低速レーンとの両方の上で走行することを許可されることと同様であり、従って、トラフィック効率が改善されることができる。
【００６５】
表１−４は、第１の周波数ブロック分類範囲の概略図である。
【００６６】
【表４】
2021524702.tif 000006
【００６７】
他の例では、第１の周波数ブロック分類範囲は、
フレームタイプが第１タイプフレームであることと、
第１タイプフレームが、プローブ要求フレームと、プローブ応答フレームと、関連付け要求フレームと、関連付け応答フレームと、認証フレームと、第１のサービスをセットアップ又はティアダウンするために利用される管理フレームとのうちの少なくとも１つを含み得ることであって、第１のサービスは、トラフィックストリーム（Ｔｒａｆｆｉｃ  Ｓｔｒｅａｍ）と、沈黙時間期間（Ｑｕｉｅｔ  Ｔｉｍｅ  Ｐｅｒｉｏｄ）と、ターゲットウェイクアップ時間（Ｔａｒｇｅｔ  Ｗａｋｅｕｐ  Ｔｉｍｅ）と、トンネル化されたダイレクトリンクセットアップ（Ｔｕｎｎｅｌｌｅｄ  Ｄｉｒｅｃｔ−Ｌｉｎｋ  Ｓｅｔｕｐ、ＴＤＬＳ）と、ブロック肯定応答フレーム（Ｂｌｏｃｋ  ＡＣＫ、ＢＡ）とのうちの少なくとも１つを含み得る、ことと
を含み得る。
【００６８】
表１−５は、第１の周波数ブロック分類範囲の概略図である。
【００６９】
【表５】
2021524702.tif 000007
【００７０】
例えば、第１のノードは、第２の周波数ブロック中の対応するサービスをセットアップするように要求するために第１の周波数ブロック中で上記の対応するサービスのセットアップ／ティアダウン要求フレームを送り得る。第２のノードは、第１の周波数ブロック中で対応する応答フレームをフィードバックし、対応するセットアップ／ティアダウン要求に同意すべきかどうかを返答する。対応するサービスが正常にセットアップされた後、第１のノードと第２のノードとは、第１の周波数ブロック中に確立された同意に従って第２の周波数ブロック中の対応するサービス対話を実行し得る。
【００７１】
第１の周波数ブロックが、比較的大量の局とより多くの干渉とをもつ２．４ＧＨｚであり、第２の周波数ブロックが、より少ない干渉をもつ５ＧＨｚ又は６ＧＨｚであるとき、２．４ＧＨｚの周波数ブロックは、より良い対干渉パフォーマンスを有し、管理フレームを送信するのにより好適である。従って、現在のネットワーク中に複数のステーションがあり得る場合、第１の周波数ブロックを利用することによって第１タイプフレームを送信する上記の方式は、重要な管理フレームと制御フレームとを送信する信頼できる方式であることができる。
【００７２】
さらに他の例では、第１の周波数ブロック分類範囲は、次の条件、即ち、
送信持続時間が、予め設定された持続時間分類閾値以上である、ことと、
サービス品質アクセスカテゴリが、予め設定された分類アクセスカテゴリに属する、ことと、
パケットフォーマットが、予め設定された分類パケットフォーマットに属する、ことと
のうちの任意の１つ又は任意の組み合わせを含み得る。
【００７３】
第１のノードが第１の周波数ブロックを利用することによって、分類属性値が第１の周波数ブロック分類範囲に属する送信されるべきフレームを第２のノードに送信することは、
送信されるべきフレームの送信持続時間が予め設定された持続時間分類閾値以上である場合、第１のノードが、第１の周波数ブロック中で送信されるべきフレームを送信することと、
送信されるべきフレームのサービス品質アクセスカテゴリが予め設定された分類アクセスカテゴリに属する場合、第１のノードが、第１の周波数ブロック中で送信されるべきフレームを送信することと、
送信されるべきフレームのパケットフォーマットが予め設定された分類パケットカテゴリに属する場合、第１のノードが、第１の周波数ブロック中で送信されるべきフレームを送信することと
を含み得る。
【００７４】
表１−６は、第１の周波数ブロック分類範囲の概略図である。
【００７５】
【表６】
2021524702.tif 000008
【００７６】
第１のノードが第１の周波数ブロックを利用することによって、分類属性値が第１の周波数ブロック分類範囲に属する送信されるべきフレームを第２のノードに送信することは、送信されるべきフレームが第１タイプフレームである場合、第１のノードが、第１の周波数ブロック中で送信されるべきフレームを送信することを含み得る。
【００７７】
第１の周波数ブロック分類範囲は、本出願で提供される第１の周波数ブロック分類範囲の実装のうちの任意の１つ又はそれらの組み合わせであり得ることに留意されたい。
【００７８】
本出願の他の実施形態では、送信レート分類閾値と、サービス品質分類閾値と、持続時間分類閾値と、分類アクセスカテゴリと、分類パケットフォーマットとについてさらに詳細に説明される。
【００７９】
表１−７は、第１の周波数ブロック分類範囲の概略図である。
【００８０】
【表７】
2021524702.tif 000009
【００８１】
表１−７は、本出願のこの実施形態による、第１の周波数ブロック分類範囲の上記のいくつかの実装の組み合わせの概略図である。
【００８２】
本出願では、第１タイプフレーム以外の管理フレーム及び制御フレームも、データフレームのものと同じである送信レート分類閾値、サービス品質閾値などに基づいて分類され得る。
【００８３】
本出願では、ステップＳ２０２はステップＳ２０３の前に実行され得るし、ステップＳ２０３は、ステップＳ２０２の前に実行され得ることに留意されたい。
【００８４】
本出願で提供される技術的解決策では、送信されるべきフレームのフレームタイプ、送信レート、サービス品質、空間ストリーム、送信持続時間、データパケットフォーマット、又はデータパケット帯域幅などの少なくとも１つの分類属性値と分類属性値に基づいて設定される第１の周波数ブロック分類範囲とに基づいて、送信されるべきフレームを送信するために利用される周波数ブロックは、第１のノードと第２のノードとの少なくとも２つの周波数ブロック中で決定される。周波数ブロックスループットレートと平均レイテンシとに影響を及ぼす比較的低い送信レートと比較的低いサービス品質とをもつＭＡＣフレームは、送信のために１つ周波数ブロック中に集中され得るし、従って、比較的高い送信レートと比較的高いサービス品質とをもつフレームは、集中方式で他の周波数ブロック中で送信されることができる。このようにして、他の周波数ブロックのスループットレートとノード間のスループットレートとが改善されることができ、ノード間の平均レイテンシが低減され、それによって、サービス要件の満足度を改善することができる。
【００８５】
さらに、本出願では、第１の周波数ブロックは、低周波数ブロックであり得るし、第２の周波数ブロックは高周波数ブロックであり得る。低周波数ブロックは、高周波数ブロックと比較したものである。
【００８６】
ＷＬＡＮの分野では、いくつかの無認可スペクトルが、通常は、ＷＬＡＮの動作帯域として利用され、ＷＬＡＮの動作帯域は、主に、１ＧＨｚ、２．４ＧＨｚ、５ＧＨｚ、６０ＧＨｚなどの下に分布されることに留意されたい。主流のＷＬＡＮ標準は、８０２．１１ａ／ｂ／ｇ／ｎ／ａｃ／ａｘを含む。これらの主流のＷＬＡＮ標準は、通常、２．４ＧＨｚの周波数帯域又は５ＧＨｚの周波数帯域を利用し、ここで、５ＧＨｚの周波数帯域は、４．９ＧＨｚ及び５ＧＨｚを指すことがある。最近、８０２．１１ａｘ標準も、無認可スペクトルとして、その後、８０２．１１ａｘ標準の動作スペクトルとして利用され得る６ＧＨｚのスペクトルを利用する。
【００８７】
エアインターフェース送信では、異なる周波数帯域は、データ送信のための異なる特性を有する。低周波数帯域は、通常、比較的遅い信号減衰と比較的良好な壁浸透効果とによって特徴づけられる。しかし、低周波数帯域のスペクトルは、通常、比較的限定されるので、レートは、スペクトルのサイズによって時々限定される。例えば、２．４ＧＨｚの周波数帯域では、８０２．１１ｂ／ｇ／ｎ／ａｘ標準でのデータパケットの帯域幅は２０ＭＨｚであり、最大４０ＭＨｚがサポートされる。チャネルは部分的に重複し、これは、複数のチャネルの連続利用に影響を及ぼす。上記の理由のために、８０２．１１ａ／ａｃはそれの動作スペクトルとして２．４ＧＨｚを利用しないことが決定される。高周波数帯域におけるスペクトルリソースは、通常、低周波数帯域におけるものよりもリッチである。例えば、比較的混雑した２．４ＧＨｚと比較して、５ＧＨｚの周波数帯域と６ＧＨｚの周波数帯域との中のスペクトルリソースはよりリッチである。従って、高周波数帯域は、概して、低周波数帯域よりも広帯域幅及び高レートのデータ送信により好適である。例えば、８０２．１１ａｃ及び８０２．１１ａｘは、最大１６０ＭＨｚでのデータ送信をサポートする。高周波数帯域と低周波数帯域とは相対概念であることに留意されたい。例えば、１ＧＨｚ未満の周波数帯域と２．４ＧＨｚの周波数帯域との比較では、２．４ＧＨｚの周波数帯域が高周波数帯域として利用され得る。他の例では、２．４ＧＨｚの周波数帯域と５ＧＨｚの周波数帯域との比較では、２．４ＧＨｚの周波数帯域が低周波数帯域として利用され得る。
【００８８】
従って、第１の周波数ブロックの周波数帯域が、第２の周波数ブロックの周波数帯域よりも低く、第１の周波数ブロックの周波数帯域帯域幅が、第２の周波数ブロックの周波数帯域帯域幅よりも低い場合、スループットレートとレイテンシとに影響を及ぼすＭＡＣフレームが送信のために第１の周波数ブロック中に集中される方式が利用され、従って、比較的広い帯域幅をもつ第２の周波数ブロックは、高速データ送信に焦点を当てることができ、それによって、マルチバンド送信中のノード間のスループットレートを改善する。
【００８９】
実施形態２
本出願は、データ送信方法をさらに提供する。本出願のこの実施形態では、第２の周波数ブロック中で送信される必要がある低レートフレーム又は低サービス品質フレームなどの比較的低い送信効率をもついくつかのフレームについて、フレームを分類し、第１の周波数ブロックと第２の周波数ブロックとを利用することによってフレームを送信する方式が設計され、即ち、低レートフレーム又は低サービス品質フレーム中で搬送される情報は、第１の周波数ブロックと第２の周波数ブロックとの間の協働を通して送信され、従って、低レートフレーム又は低サービス品質フレームの基本機能を保証しながらノード間のスループットレートができる限り改善されることができる。
【００９０】
図３は、本出願による、データ送信方法のフローチャート２である。図３に示されるように、本出願のこの実施形態は、以下のステップを含み得る。
【００９１】
Ｓ３０１．第１のノードは、送信されるべきフレームを取得する。
【００９２】
Ｓ３０２．第１のノードは、少なくとも２つの周波数ブロック中の第２の周波数ブロックを利用することによって、第２のノードに、分類属性値が第２の周波数ブロック分類範囲に属する送信されるべきフレームを送信する。
【００９３】
Ｓ３０３．第１のノードは、第１の周波数ブロックを利用することによって、分類属性値が第１の周波数ブロック分類範囲に属する送信されるべきフレームを、第２のノードに送信する。
【００９４】
Ｓ３０４．第１のノードは、少なくとも２つの周波数ブロックのうちの任意の１つを利用することによって、分類属性値が第１の周波数ブロック分類範囲にも第２の周波数ブロック分類範囲にも属さない送信されるべきフレームを、第２のノードに送信する。
【００９５】
ステップＳ３０３はＳ２０２と同様であり、Ｓ２０２の説明への参照が行われ得る。ステップＳ３０４はＳ２０３と同様であり、Ｓ２０３の説明への参照が行われ得る。
【００９６】
第２の周波数ブロックは、第１のノードと第２のノードとの間の少なくとも２つの周波数ブロック中の他の周波数ブロックであることに留意されたい。第２の周波数ブロック分類範囲と第１の周波数ブロック分類範囲との間で共通部分がある場合、ステップＳ３０２が最初に実行され得るし、次いで、ステップＳ３０３が実行される。例えば、送信されるべきフレームの分類属性値が第２の周波数ブロック分類範囲に属するのかどうかが最初に決定される。送信されるべきフレームの分類属性値が第２の周波数ブロック分類範囲に属する場合、送信されるべきフレームは、第２の周波数ブロックを利用することによって送信される。送信されるべきフレームの分類属性値が第２の周波数ブロック分類範囲に属さない場合、送信されるべきフレームの分類属性値が第１の周波数ブロック分類範囲に属するのかどうかがさらに決定される。送信されるべきフレームの分類属性値が第１の周波数ブロック分類範囲に属する場合、送信されるべきフレームは、第１の周波数ブロックを利用することによって送信される。送信されるべきフレームの分類属性値が第１の周波数ブロック分類範囲にも第２の周波数ブロック分類範囲にも属さない場合、送信されるべきフレームは、２つの周波数ブロックのいずれかを利用することによって送信され得る。第２の周波数ブロック分類範囲と第１の周波数ブロック分類範囲との間で共通部分がない場合、ステップＳ３０２がステップ３０３の前に実行され得るか、又はステップＳ３０３がステップＳ３０２の前に実行され得る。
【００９７】
図２に示された実施形態における第１の周波数ブロック分類範囲の任意の実装が、第１の周波数ブロック分類範囲として利用され得ることに留意されたい。さらに、本出願で提供される第１の周波数ブロック分類範囲の様々な実装は、組み合わせて利用されてもよい。
【００９８】
表２−１は、分類基準の概略図であり、本出願のこの実施形態において提供される分類基準は、表２−１に示され得る。
【００９９】
【表８】
2021524702.tif 000010
【０１００】
本出願では、第２の周波数ブロック分類範囲は、第２の周波数ブロックに対応する周波数ブロック分類範囲であり得る。
【０１０１】
本出願で提供される第２の周波数ブロック分類範囲の一実装では、第２の周波数ブロック分類範囲は、第２の周波数ブロック中で送信される必要がある何らかの制御情報、管理情報、又は他の指示情報を搬送する制御フレーム又は管理フレームを含み得る。例えば、第２の周波数ブロック中で送信される必要がある制御情報と管理情報とは、同期のために利用される同期情報であり得る。
【０１０２】
本出願のこの実施形態において提供される実装では、第２の周波数ブロック分類範囲は、フレームタイプが第２タイプフレームであることを含み得る。
【０１０３】
例えば、第２タイプフレームは、第２の周波数ブロック中に同期機能を実装するために利用される同期タイプフレームを含み得る。同期タイプフレームは、例えば、次のもの、即ち、
第２の周波数ブロック中で送信されるために利用されるビーコンフレームと、
第２の周波数ブロックのスケジューリング情報を搬送するスケジューリングフレームと
のうちの少なくとも１つを含み得る。
【０１０４】
例えば、スケジューリングフレームは、トリガフレームであり得る。
【０１０５】
表２−２は、第２の周波数ブロック分類範囲の概略図である。
【０１０６】
【表９】
2021524702.tif 000011
【０１０７】
第２の周波数ブロックを利用することによって第２タイプフレームを送信する方式は、同期情報を搬送する同期タイプフレームが第２の周波数ブロック中で送信されることになっていると決定することに相当する。
【０１０８】
本出願のこの実施形態において提供される第２の周波数ブロック分類範囲の他の実装では、第２の周波数ブロック分類範囲は、
フレームタイプは、短い同期フレームであって、短い同期フレームが、第３タイプフレームに対応するダイアログトークンを搬送する、短い同期フレームであること
を含み得る。
【０１０９】
第１の周波数ブロック分類範囲は、
フレームタイプは、第３タイプフレームであることであって、第３タイプフレームは、予め設定されたターゲット時間に第２の周波数ブロック中で第２のノードによって利用される指示情報とダイアログトークンとを搬送する、第３タイプフレームであることと、
ターゲット時間に第２の周波数ブロック中で短い同期フレームを受信するとき、ダイアログトークンは、第２の周波数ブロック中で利用され、第３タイプフレーム中で搬送され、短い同期フレームに対応する指示情報を読み取るように第２のノードに指示するために利用されることと
を含み得る。
【０１１０】
表２−３は、分類基準の概略図である。
【０１１１】
【表１０】
2021524702.tif 000012
【０１１２】
例えば、第３タイプフレームは、次のもの、即ち、
第１のビーコンフレームであって、第１のビーコンフレームは、ターゲット時間に第２の周波数ブロックにおいて利用されるビーコン情報を搬送する、第１のビーコンフレームと、
第１のスケジューリングフレームであって、第１のスケジューリングフレームは、ターゲット時間に第２の周波数ブロックにおいて利用されるスケジューリング情報を搬送する、第１のスケジューリングフレームと
のうちの少なくとも１つを含み得る。
【０１１３】
一実装では、第１のビーコンフレームに対応する短い同期フレームは、短いビーコンフレームと呼ばれることがあり、第１のスケジューリングフレームに対応する短い同期フレームは、短いスケジューリングフレームと呼ばれることがある。
【０１１４】
例えば、上記のステップＳ３０２及びＳ３０３は、第１の周波数ブロックを利用することによって第３タイプフレームを送信することと、ターゲット時間が近づいているとき、第２の周波数ブロックを利用することによって短い同期フレームを送信することとを含み得る。次いで、第２のノードは、短い同期フレーム中のダイアログトークンに基づいて、第１の周波数ブロック中で受信された対応する第３タイプフレームを探索し、第３タイプフレームから指示情報を抽出し、指示情報の表示に基づいて、ターゲット時間に第２の周波数ブロック中で送信されるＭＡＣフレームを制御し得る。
【０１１５】
本出願の他の実施形態では、第１のビーコンフレーム、第１のスケジューリングフレーム、並びに、第１のビーコンフレームに対応する短い同期フレーム及び第１のスケジューリングフレームに対応する短い同期フレームについて詳細に説明される。詳細については、本出願の他の実施形態における説明を参照されたい。
【０１１６】
第２の周波数ブロックにおいて利用される指示情報を搬送する第３タイプフレームと短い同期フレームとは、協働して利用される。短い同期フレームが、第３タイプフレームに関連付けられるために利用されるダイアログトークンを搬送し得るので、短い同期フレームは、特定の指示情報を搬送する必要がないことがある。従って、短い同期フレームの長さは、比較的短くなり得るし、従って、第２の周波数ブロック中で送信される必要があるデータの量は低減されることができる。
【０１１７】
以下に、第１のノードがＡＰであり、第２のノードがＳＴＡであり、第１の周波数ブロックが帯域１であり、第２の周波数ブロックが帯域２である例について説明する。
【０１１８】
図４は、本出願による、データ送信方法の概略フローチャート１である。
【０１１９】
図４に示されるように、本出願で提供されるデータ送信方法を利用するマルチバンド協調送信手順は、以下のステップを含み得る。
【０１２０】
Ｓ４０１．ＡＰは、帯域１中で第１のビーコンフレームを送信する。
【０１２１】
第１のビーコンフレームは、ＡＰの能力情報、タイムスタンプ情報、ビーコンフレームトークン（Ｔｏｋｅｎ）、帯域２の数、及び帯域２の１次チャネルのロケーションなどの情報を含み得る。第１のビーコンフレームは、帯域１の能力情報及び動作情報と帯域２の能力情報及び動作情報との両方を搬送し得ることに留意されたい。
【０１２２】
Ｓ４０２．ＡＰは、帯域２中で短いビーコンフレームを送信する。
【０１２３】
短いビーコンフレーム（Ｓｈｏｒｔ−Ｂｅａｃｏｎ、Ｓビーコン）は、帯域２中での時間同期などのために利用される。例えば、短いビーコンフレームの期間は、第１のビーコンフレームの期間の整数倍であり得る。一実装では、第２のビーコンフレームの長さは、第１のビーコンフレームの長さよりも短くなり得る。
【０１２４】
Ｓ４０３．ＡＰは、帯域１及び／又は帯域２中でデータを送信する。
【０１２５】
送信レートが予め設定された送信レート分類閾値以下であるデータは帯域１中でのみ送信され得るし、送信レートが送信レート分類閾値よりも大きいデータは帯域２中でのみ送信され得るか、又は送信レートが送信レート分類閾値よりも大きいデータは帯域１と帯域２との両方の中で送信され得る。
【０１２６】
Ｓ４０４．ＡＰは、ターゲット時間に帯域２中でデータ送信を実行するようにＳＴＡに指示するために帯域１中でスケジューリング情報を搬送するスケジューリングフレームを送信する。
【０１２７】
例えば、スケジューリング情報は、第１のターゲット時間に利用されるスケジューリング情報１と第２のターゲット時間に利用されるスケジューリング情報２とを含み得るし、ここで、スケジューリング情報１は、トークン１（Ｔｏｋｅｎ  １）を搬送し、スケジューリング情報２は、トークン２（Ｔｏｋｅｎ  ２）を搬送する。
【０１２８】
Ｓ４０５．ＡＰは、アップリンクデータを送信するようにＳＴＡをトリガするためにターゲット時間に短い同期フレームを送信する。
【０１２９】
例えば、ＡＰは、第１のターゲット時間に短い同期フレーム１を送り得るし、ここで、短い同期フレーム１は、トークン１（Ｔｏｋｅｎ  １）を搬送する。短い同期フレームは、トークン情報を搬送し得ることに留意されたい。従って、短い同期フレームのオーバーヘッドは、比較的小さくなり得る。
【０１３０】
Ｓ４０６．ＳＴＡは、短い同期フレームに対応するスケジューリング情報に基づいてアップリンクデータを送信する。
【０１３１】
ＳＴＡは、短い同期フレーム中のトークン１に基づいて対応するスケジューリング情報１を探索し、スケジューリング情報１に基づいてアップリンクデータ（ＵＬ  Ｄａｔａ）を送り得る。
【０１３２】
本出願における概略フローチャートの水平軸が時間軸であることに留意されたい。
【０１３３】
本出願では、送信されるべきフレームを送信するために利用されるターゲット周波数ブロックを第１のノードが決定する前に、送信されるべきフレームの分類属性値と予め設定された分類基準とに従って少なくとも２つの周波数ブロック中で、第１のノードは、第１の周波数ブロックにおいて利用される指示情報を取得し、指示情報に基づいて第３タイプフレームと短い同期フレームとを生成し得る。
【０１３４】
本出願では、第２の周波数ブロック分類範囲と第１の周波数ブロック範囲との間に共通部分がある場合、第２の周波数ブロックを利用することによって第２の周波数ブロック分類範囲に属する送信されるべきフレームを送信するステップが最初に実行され得るし、第１の周波数ブロックを利用することによって第１の周波数ブロック分類範囲に属する送信されるべきフレームを送信するステップが後で実行される。
【０１３５】
本出願では、１つの周波数ブロックは複数のチャネルを含む。動作周波数ブロックが低周波数帯域である標準では、周波数ブロック中のチャネルは部分的に重複する。同じＡＰにアップリンクデータを送信するとき、複数のＳＴＡは、同じ周波数ブロック中で異なるチャネル又はリソースユニットを利用するか、又は、他の周波数区分、時分割、又は空間多重化方式を利用し得る。本出願で提供される技術的解決策は、上記の多重化方式とともに利用され得るか、又は別々に利用され得る。
【０１３６】
いくつかのシナリオでは、送信ノードにおいて、送信されるべきＭＡＣフレームは、最初に、データを送信するためのチャネルリソースを求めて競合する必要がある。ＭＡＣフレームを送信するための競合機構は、ノード上に設定され得るし、高いサービス品質をもつＭＡＣフレームは、競合を通して低いサービス品質をもつＭＡＣフレームよりもチャネルを取得する可能性が高い。従って、サービス品質に基づいて送信されるべきフレームを分類する方式は、競合を通して低いサービス品質をもつＭＡＣフレームによってチャネルを取得する成功率を改善することができる。このようにして、低いサービス品質をもつＭＡＣフレームを送信するための待機時間が短縮され、それによって、低いサービス品質をもつフレームのレイテンシを低減する。
【０１３７】
本出願のこの実施形態における他の技術的解決策の詳細及び技術的効果については、本出願の他の実施形態における説明を参照されたい。
【０１３８】
実施形態３
上記の実施形態のうちの任意の１つに基づいて、本出願は、データ送信方法をさらに提供する。第１のノードが第１の周波数ブロックを利用することによって、分類属性値が第１の周波数ブロック分類範囲に属する送信されるべきフレームを第２のノードに送信する前に、第１のノードは、マルチバンドを有効化するように第２のノードと取り決め得る。
【０１３９】
図５は、本出願による、データ送信方法の対話フローチャート１である。図５に示されるように、第１のノードがマルチバンドを有効化するように要求するイニシエータである場合、本出願のこの実施形態は以下のステップを含み得る。
【０１４０】
Ｓ５０１．第１のノードは、第１の周波数ブロック中で第２のノードにマルチバンド有効化要求を送信する。
【０１４１】
Ｓ５０２．第２のノードは、第１の周波数ブロック中で第１のノードにマルチバンド有効化応答を送信する。
【０１４２】
本出願では、例えば、マルチバンド有効化要求は、関連付け要求（Ａｓｓｏｃｉａｔｉｏｎ  Ｒｅｑｕｅｓｔ）フレームであり得るし、マルチバンド有効化応答は、関連付け応答（Ａｓｓｏｃｉａｔｉｏｎ  Ｒｅｓｐｏｎｓｅ）フレームであり得る。
【０１４３】
本出願の他の実装では、第１のノードは、マルチバンドを有効化する受信機であってもよく、第１のノードが第１の周波数ブロックを利用することによって、分類属性値が第１の周波数ブロック分類範囲に属する送信されるべきフレームを第２のノードに送信する前に、本出願のこの実施形態におけるステップは、第１のノードが、第１の周波数ブロック中で第２のノードの周波数ブロックによって送信されたマルチバンド有効化要求を受信することと、第１のノードが、第１の周波数ブロック中で第２のノードにマルチバンド有効化応答を送信することとを含み得ることに留意されたい。
【０１４４】
本出願では、マルチバンドは、アクティブ関連付けとパッシブ関連付けとの２つの方式で有効化され得る。
【０１４５】
以下に、第１のノードがＡＰであり、第２のノードがＳＴＡであり、第１の周波数ブロックが帯域１であり、第２の周波数ブロックが帯域２である例について説明する。
【０１４６】
図６は、本出願による、関連付け方式の概略フローチャートである。図６に示されるように、ＳＴＡは、マルチバンドを有効化するイニシエータであり得るし、ＡＰとＳＴＡとの間の関連付け方式におけるマルチバンドを有効化する対話処理は、以下のステップを含み得る。
【０１４７】
Ｓ６０１．ＡＰは、帯域１中で第１のビーコンフレームを送信する。
【０１４８】
ビーコンフレームは、能力情報、動作情報、タイムスタンプ情報、ＡＰのビーコンフレームトークン（Ｔｏｋｅｎ）、帯域２の数、及び帯域２の１次チャネルのロケーションなどの情報を含み得る。例えば、ＡＰは、ビーコンフレームを周期的に送り得る。第１のビーコンフレームは、帯域１の能力情報及び動作情報と帯域２の能力情報及び動作情報との両方を搬送し得ることに留意されたい。
【０１４９】
Ｓ６０２．ＡＰは、帯域２中で短いビーコンフレームを送信する。
【０１５０】
短いビーコンフレームは、帯域２中での時間同期などのために利用される。例えば、短いビーコンフレームの期間は、第１のビーコンフレームの期間の整数倍であり得る。
【０１５１】
Ｓ６０３．ＳＴＡは、帯域１中でプローブ要求フレームを送信する。
【０１５２】
プローブ要求（Ｐｒｏｂｅ  Ｒｅｑｕｅｓｔ）フレームは、ＳＴＡが関連付け動作を実行することを予想することを示す。プローブ要求フレームは、ＳＴＡの能力情報を含み得るし、ここで、能力情報は、ＳＴＡがマルチバンド動作をサポートすることを示し、能力情報はまた、帯域１中のＳＴＡの能力情報と帯域２中のＳＴＡの能力情報とを示す。
【０１５３】
Ｓ６０４．帯域１中で、ＳＴＡによって送信されたプローブ要求フレームを受信した後、ＡＰは、ＳＴＡにプローブ応答フレームを送信する。
【０１５４】
プローブ応答フレームは、ＡＰの能力情報、動作情報などを示し、プローブ応答フレームは、ＡＰがマルチバンド動作をサポートすることと、帯域１中のＡＰの能力情報と、帯域２中のＡＰの能力情報とをさらに示し得る。
【０１５５】
Ｓ６０５．ＳＴＡは、帯域１中で関連付け要求フレームを送信する。
【０１５６】
関連付け要求フレームは、関連付けを有効化するようにＡＰに要求するために利用される。関連付け要求フレームは、ＳＴＡの能力情報を含み得るし、ここで、能力情報は、ＳＴＡがマルチバンド動作をサポートすることを示し、関連付け要求フレームは、帯域１中のＳＴＡの能力情報と帯域２中のＳＴＡの能力情報とを示し得る。
【０１５７】
Ｓ６０６．ＡＰは、帯域１中で関連付け応答フレームを送信する。
【０１５８】
関連付け応答フレームは、関連付け要求フレームに応答するために利用される。関連付け要求フレームは、ＡＰの能力情報を含み、ここで、能力情報は、ＡＰがマルチバンド動作をサポートすることを示し、帯域１中のＡＰの能力情報と帯域２中のＡＰの能力情報とを示す。
【０１５９】
関連付けが成功した後、ＡＰとＳＴＡとの両方は、帯域１と帯域２との中でデータ送信を実行し得るし、帯域２中で関連付け動作を実行する必要がないことに留意されたい。ＳＴＡは、帯域２中で短いビーコンフレームを利用することによって時間を較正することができる。さらに、ＳＴＡは、ＢＳＳの関連情報を取得するために帯域１中の第１のビーコンフレームをさらに読み取り得る。
【０１６０】
上記のステップＳ６０３及びＳ６０４は、関連付け動作を実行するための必須のステップでないことにさらに留意されたい。パッシブ関連付けモードの場合、ステップＳ６０１において、ＳＴＡが帯域１中で第１のビーコンフレームを受信した後、ＳＴＡは、関連付け動作を実行するためにステップＳ６０５及びＳ６０６を直接実行し得る。
【０１６１】
本出願では、関連付け動作を実行する前に、ＳＴＡは、帯域２の一部又は全部のリンクを無効化し得る。本出願におけるリンクは、無線周波数又はアンテナを指すことがある。このようにして、帯域２が有効化される必要があるとき、帯域２は、帯域１に関連付けられることを可能にされ、それによって、エネルギーを節約する。本出願の一実装では、ＡＰとＳＴＡとがマルチバンド協調送信を実行するとき、ＡＰは、帯域１中で、帯域２中の一部又は全部のリンクを無効化するようにＳＴＡに指示し得る。このようにして、帯域２は、電気エネルギーを節約するように柔軟に制御されることができる。
【０１６２】
本出願の実施形態における他の技術的解決策の詳細及び技術的効果については、本出願の他の実施形態における説明を参照されたい。
【０１６３】
実施形態４
以下に、上記の実施形態で説明した様々な分類属性値に基づいて分類閾値を設定する設定方式について詳細に説明する。
【０１６４】
本出願で提供される一実装では、ノード間の分類基準、即ち、第１の周波数ブロック分類範囲、第２の周波数ブロック分類範囲などは、マルチバンド協調が有効化されたときに示され得る。例えば、表示は、第１のビーコンフレーム又はプローブ応答フレーム中で行われ得る。例えば、表示は、第１のビーコンフレーム又はプローブ応答フレーム中でＡＰによって行われ得る。
【０１６５】
本出願で提供される一実装では、超高スループット（Ｅｘｔｒｅｍｅｌｙ  Ｈｉｇｈ  Ｔｈｒｏｕｇｈｐｕｔ、ＥＨＴ）動作要素（Ｏｐｅｒａｔｉｏｎ  Ｅｌｅｍｅｎｔ）は、各周波数ブロックに対応する周波数ブロック分類範囲を示すために利用され得る。例えば、ＥＨＴ動作要素は、第１のビーコンフレーム又はプローブ応答フレーム中で搬送され得る。
【０１６６】
本出願で提供される他の実装では、異なる第１の周波数ブロック分類範囲は、異なる空間ストリーム（Ｓｐａｔｉａｌ  Ｓｔｒｅａｍｓ、ＳＳ）のためにさらに設定され得る。例えば、異なる送信レート分類閾値が異なる空間ストリームのために設定され得る。
【０１６７】
次世代のＥＨＴ標準の場合、合計１６個の空間ストリームがあり得るし、閾値は、空間ストリームごとに設計され得る。表４−１は、異なる空間ストリームのための閾値を設定することの概略図である。
【０１６８】
【表１１】
2021524702.tif 000013
【０１６９】
例えば、１ＳＳのための閾値は、識別子が１である空間ストリームのために設定される閾値を表し得る。
【０１７０】
本出願で提供されるさらに他の実装では、送信レート分類閾値を示すために統一レート識別子が利用され得る。
【０１７１】
例では、００は、１２１．９Ｍｂｐｓを示すために利用され得るし、０１は、２４８．３Ｍｂｐｓを示すために利用され得るなどである。
【０１７２】
他の例では、レート識別子は、変調及びコーディングスキーム（modulation and coding scheme）であり得る。異なるＭＣＳが異なるレートに対応し得ることに留意されたい。例えば、８０２．１１ａｘ標準は、現在、ＭＣＳ０からＭＣＳ１１などの１２個の異なるＭＣＳをサポートする。例えば、１／２．．．／１６のＳＳ表示のための閾値を設定するために２ビットが利用され得る。表示精度を改善するために、最大１６個のＭＣＳの分類閾値を示すために４ビットが利用されることもある。
【０１７３】
表４−２は、２ビットを利用することによって示されるＭＣＳの概略図である。
【０１７４】
【表１２】
2021524702.tif 000014
【０１７５】
表４−２に示されるように、レート識別子は、各周波数ブロックの分類閾値が示されるときに送信され得る。例えば、「００」は、第１の周波数ブロック分類範囲が送信レート分類閾値を含むことを示すために送信され得るし、送信レート分類閾値は、ＭＣＳ１によって表される送信レートである。
【０１７６】
本出願で提供されるさらに他の実装では、各周波数ブロックに対応する周波数ブロック分類閾値は、送信されるべきフレームのサービス品質アクセスカテゴリに基づいて設定され得る。
【０１７７】
例えば、アクセスカテゴリは、ボイス（Ｖｏｉｃｅ、ＶＯ）、ビデオ（ビデオ、ＶＩ）、バックグラウンド（Ｂａｃｋｇｒｏｕｎｄ、ＢＫ）、及びベストエフォート（Ｂｅｓｔ  Ｅｆｆｏｒｔ、ＢＥ）の４つのタイプを含み得る。ＶＯ及びＶＩの優先度は、ＢＫ及びＢＥの優先度よりも高い。
【０１７８】
例では、第１の周波数ブロック分類範囲は、ＢＫ及び／又はＢＥのアクセスカテゴリを含み得る。
【０１７９】
表４−３は、第１の周波数ブロック分類範囲の概略図である。
【０１８０】
【表１３】
2021524702.tif 000015
【０１８１】
例えば、アクセスカテゴリＢＫのデータフレームは、第１の周波数ブロック中で送信され得るし、アクセスカテゴリＢＥのデータフレームは、第１の周波数ブロック中で送信され得るし、アクセスカテゴリＶＯ又はＶＩのデータフレームは、第２の周波数ブロック中で送信され得るか、又は第２の周波数ブロックと第１の周波数ブロックとの中で送信され得る。
【０１８２】
本出願で提供されるさらに他の実装では、各周波数ブロックに対応する周波数ブロック分類閾値は、送信されるべきフレームの送信持続時間に基づいて設定され得る。
【０１８３】
送信されるべきフレームの送信持続時間は、事前指定され得るか、又は送信される必要があるデータの量及び送信レートなどのパラメータに基づいて計算され得る。例えば、事前指定された送信持続時間は、例えば、送信されるべきフレームの予想される送信持続時間であり得る。例えば、低レートフレームと高レートフレームとによって占有される送信持続時間は、フレームの長さに正比例しないことがある。計算される送信持続時間は、例えば、それが送信される必要があるデータの量、帯域幅、ＭＣＳ、及び空間ストリームの量に基づいて計算され得る。
【０１８４】
持続時間分類閾値は、分類される必要がある送信されるべきフレームの量に基づいて柔軟に設定され得る。例えば、予め設定された時間期間内に、送信持続時間中で、比較的長い送信時間をもつ送信されるべきフレームの４０％が、第１の周波数ブロックを利用することによって第２のノードに送信されることができる。送信持続時間は、持続時間分類閾値として設定され得る。
【０１８５】
比較的長い送信持続時間をもつフレームは、送信中に多くのエアインターフェース時間を占有し、比較的長い送信持続時間をもつフレームの送信が完了した後にのみ、比較的短い送信持続時間をもつフレームは、競合を通して、データを送信するためのチャネルを取得することができることにさらに留意されたい。送信持続時間。結果として、比較的短い送信持続時間をもつフレームは、比較的長い時間待機する必要がある。送信されるべきフレームは、送信持続時間に基づいて分類され、従って、比較的短い送信持続時間をもつフレームを送信するのに必要な待機時間が短縮され、それによって、比較的短い送信持続時間をもつフレームのレイテンシを短縮することができる。
【０１８６】
本出願で提供されるさらに他の実装では、各周波数ブロックに対応する周波数ブロック分類閾値は、送信されるべきフレームのデータパケットフォーマットに基づいて設定され得る。
【０１８７】
例えば、様々なタイプのパケットフォーマットが、様々な世代のＷＬＡＮ標準、例えば、
８０２．１１ａ／ｂ／ｇにおいて定義されている非高スループット（Ｎｏｎ−Ｈｉｇｈ  Ｔｈｒｏｕｇｈｐｕｔ、非ＨＴ）データパケット、
８０２．１１ｎにおいて定義されている高スループット（Ｈｉｇｈ  Ｔｈｒｏｕｇｈｐｕｔ、ＨＴ）データパケット、
８０２．１１ａｃにおいて定義されている超高スループット（ＶＨＴ）データパケット、
８０２．１１ａｘにおいて定義されている高効率（ＨＥ）データパケット、及び
次世代のＷＬＡＮ標準において定義される超高スループット（Ｅｘｔｒｅｍｅｌｙ  Ｈｉｇｈ  Ｔｈｒｏｕｇｈｐｕｔ、ＥＨＴ）データパケット
において定義されている。
【０１８８】
ＶＨＴデータパケットは、ＶＨＴシングルユーザデータパケットとＶＨＴマルチユーザデータパケットとをさらに含み得る。ＨＥデータパケットは、ＨＥシングルユーザデータパケットと、ＨＥ延長距離シングルユーザデータパケットと、ＨＥマルチユーザデータパケットと、ＨＥトリガベースデータパケットとを含み得る。
【０１８９】
例えば、第１の周波数ブロック分類範囲に対応するパケットフォーマットは、最小送信レートをもつ上記のパケットフォーマットのうちの１つ又は複数であり得る。
【０１９０】
例では、第１の周波数ブロック分類範囲に対応するパケット分類フォーマットが非ＨＴを含むことが設定され得る。このようにして、非ＨＴフォーマットのデータパケットは、第１の周波数ブロック中で送信され得るし、ＨＴ、ＶＨＴ、ＨＥ、又はＥＨＴフォーマットなどの他のフォーマットのデータパケットは、第２の周波数ブロック中で送信され得るか、又は第２の周波数ブロックと第１の周波数ブロックとの中で送信され得る。
【０１９１】
表４−４は、第１の周波数ブロック分類範囲の概略図である。
【０１９２】
【表１４】
2021524702.tif 000016
【０１９３】
他の例では、第１の周波数ブロック分類範囲に対応するパケット分類フォーマットが非ＨＴとＨＴとを含むことが設定され得る。このようにして、非ＨＴフォーマット及びＨＴフォーマットのデータパケットは、第１の周波数ブロック中で送信され得るし、ＶＨＴ、ＨＥ、及びＥＨＴフォーマットなどの他のフォーマットのデータパケットは、第２の周波数ブロック中で送信され得るか、又は第２の周波数ブロックと第１の周波数ブロックとの中で送信され得る。
【０１９４】
パケットフォーマットは、送信されるべきフレームがＰＨＹレイヤで送信されるときに利用されるフォーマットであることに留意されたい。
【０１９５】
本出願で提供されるさらに他の実装では、各周波数ブロックに対応する周波数ブロック分類閾値は、送信されるべきフレームのデータパケット帯域幅に基づいて設定され得る。
【０１９６】
例えば、送信されるべきフレームのデータパケット帯域幅は、２０ＭＨｚ、４０ＭＨｚ、８０ＭＨｚ、１６０ＭＨｚ、８０＋８０ＭＨｚ、３２０ＭＨｚ、及び１６０ＭＨｚ＋１６０ＭＨｚなどの異なる帯域幅モードを含み得る。概して、広域帯域幅は、より高いピークレートに対応し得る。
【０１９７】
第１の周波数ブロック分類範囲に対応する帯域幅分類閾値は、最小帯域幅をもつ上記のグループ化フォーマットのうちの１つ又は複数であり得る。
【０１９８】
例では、第１の周波数ブロック分類範囲に対応する帯域幅分類閾値は、２０ＭＨｚ又は４０ＭＨｚを含み得る。このようにして、２０ＭＨｚ又は４０ＭＨｚの帯域幅に対応する送信されるべきフレームは、第１の周波数ブロック中で送信され得るし、８０ＭＨｚ以上の帯域幅に対応する送信されるべきフレームは、第２の周波数ブロック中で送信され得るか、又は第２の周波数ブロックと第１の周波数ブロックとの中で送信され得る。
【０１９９】
表４−５は、第１の周波数ブロック分類範囲の概略図である。
【０２００】
【表１５】
2021524702.tif 000017
【０２０１】
パケット帯域幅は、送信されるべきフレームを送信するＰＨＹの実際の帯域幅であることに留意されたい。
【０２０２】
本出願で提供されるさらに他の実装では、組み合わせは、上記の実施形態のうちの任意の１つで説明した分類属性値に対応する周波数ブロック分類範囲に基づいてさらに実行され得る。
【０２０３】
例えば、各周波数ブロックに対応する周波数ブロック分類閾値は、パケット帯域幅と送信されるべきフレームのデータパケットフォーマットとの両方に基づいて設定され得る。
【０２０４】
例では、第１の周波数ブロック分類範囲は、
帯域幅は、４０ＭＨｚ以下であり、パケットフォーマットは、非ＨＴ又はＨＴであること
を含み得る。このようにして、４０ＭＨｚ以下の帯域幅と非ＨＴ又はＨＴのフォーマットとに対応する送信されるべきフレームは、第１の周波数ブロック中で送信され得るし、８０ＭＨｚ以上の帯域幅又はＶＨＴ、ＨＥ、又はＥＨＴのパケットフォーマットに対応する送信されるべきフレームは、第２の周波数ブロック中で送信され得るか、又は第２の周波数ブロックと第１の周波数ブロックとの中で送信され得る。
【０２０５】
他の例では、第１の周波数ブロック分類範囲は、
帯域幅は、４０ＭＨｚ以下であるか、又はパケットフォーマットは、非ＨＴ又はＨＴであること、を含み得る。このようにして、８０ＭＨｚ以上の帯域幅に対応し、フォーマットに対応するか、又はＶＨＴ、ＨＥ及びＥＨＴのパケットフォーマットに対応する送信されるべきフレームは、第２の周波数ブロック中で送信され得るか、又は第２の周波数ブロックと第１の周波数ブロックとの中で送信され得る。他の送信されるべきフレームは、第１の周波数ブロック中で送信され得る。
【０２０６】
本出願で提供されるさらに他の実装では、２つ以上の周波数ブロックが第１のノードと第２のノードとの間にある場合、全ての周波数ブロックは１つのセットの分類基準を共有し得る。
【０２０７】
本出願で提供されるさらに他の実装では、４つ以上の周波数ブロックが第１のノードと第２のノードとの間にある場合、少なくとも４つの周波数ブロックは２つのグループに分割され得るし、各グループは１つのセットの分類基準を利用する。例えば、各周波数ブロックグループは、少なくとも２つの周波数ブロックを含み得るし、各周波数ブロックグループ中の少なくとも２つの周波数ブロックは、第１の周波数ブロックと第２の周波数ブロックとに分割され、第１の周波数ブロック分類範囲又は第２の周波数ブロック分類範囲は、周波数ブロックグループごとに設定される。例えば、２．４ＧＨｚ及び１ＧＨｚの下の周波数ブロックが１つの周波数ブロックグループとして利用され、第１の分類基準が利用され、５ＧＨｚ及び６ＧＨｚが１つの周波数ブロックグループとして利用され、第２の分類基準が利用される。
【０２０８】
上記の方式では、スループットレートとレイテンシとに影響を及ぼすいくつかのルールについて、第２の周波数ブロックのスペクトルが高スループットレート及び低レイテンシをもつデータを送信するために十分に利用されることをできることを保証するために追越し車線又は低速車線にチャネル又は周波数ブロックを分類することに相当する。
【０２０９】
実施形態５
以下に、管理情報を搬送する管理フレームと制御情報を搬送する制御フレームとを分類する方式について詳細に説明する。
【０２１０】
本出願で提供される一実装では、管理フレームと制御フレームとは、送信レート、サービス品質、及び送信持続時間などの分類属性値に基づいて分類されないことがある。即ち、分類は、送信レート、サービス品質、及び送信持続時間などの分類属性値に基づいてデータフレームに対してのみ実行され得る。このようにして、全ての管理フレームと制御フレームとの機能は影響を及ぼされない。
【０２１１】
本出願で提供される他の実装では、各周波数ブロックのものであり、データフレームのために設定される分類閾値が、管理フレームのために利用されることもあり、制御フレームは、任意の周波数ブロック中で送信され得る。
【０２１２】
本出願で提供されるさらに他の実装では、いくつかの制御フレームのみが、代替として、特殊な仕様に従って分類され得る。特殊な仕様は、第２の周波数ブロックを制御するために利用される制御フレームが第１の周波数ブロック中で送信されること、即ち、制御フレームは、制御フレームのタイプに基づいて分類されることを意味する。例では、トリガフレーム、ＲＴＳフレーム、ＣＴＳフレーム、ＣＴＳ−ｔｏ−Ｓｅｌｆ（ＣＴＳ−ｔｏ−Ｓｅｌｆ）フレーム、ＡＣＫフレーム、及びＢＡフレームの一部又は全部の制御フレームが、第１の周波数ブロックを利用することによって送信されることが設定され得る。
【０２１３】
以下に、重要な制御フレームを送信する処理の例について説明する。
【０２１４】
例では、トリガフレームは、アップリンクデータを送信するようにＳＴＡをトリガするために利用され得る。
【０２１５】
図７は、トリガフレームを利用することによって、アップリンクデータを送信するようにＳＴＡをトリガすることの概略フローチャートである。
【０２１６】
図７に示されるように、ＡＰとＳＴＡ１とＳＴＡ２との間の対話処理は、以下のステップを含み得る。
【０２１７】
Ｓ７０１．ＡＰは、トリガフレームを送信する。
【０２１８】
Ｓ７０２．ＳＴＡ１は、アップリンクデータを送信する。
【０２１９】
Ｓ７０３．ＳＴＡ２は、アップリンクデータを送信する。
【０２２０】
Ｓ７０４．ＡＰは、肯定応答情報を送信する。
【０２２１】
８０２．１１ａｘ標準では、ＡＰは、アップリンクデータを送信するように１つ又は複数のＳＴＡをトリガするためにトリガフレームを送信することに留意されたい。図７に示されるように、ＡＰは、トリガフレームを送り、ここで、トリガフレームは、スケジューリング情報を搬送し、時間、周波数、又は電力を較正し、調整する方式をＳＴＡに与える。
【０２２２】
トリガフレーム中のスケジューリング情報又は他の同様の情報が帯域１中で送信されることが予想され、ＳＴＡが、帯域２中でアップリンクデータ送信を実行するようにスケジュールされている場合、同期機能は、トリガフレームを利用することによって実装されないことがある。
【０２２３】
この問題を解決するために、本出願は、以下の実装を提供する。
【０２２４】
図８は、本出願による、データ送信方法の概略フローチャート２である。
【０２２５】
図８に示されるように、ＡＰとＳＴＡとの間の対話の処理は、以下のステップを含み得る。
【０２２６】
Ｓ８０１．ＡＰは、帯域１中でＳＴＡにスケジューリング情報を搬送するスケジューリングフレームを送信する。
【０２２７】
スケジューリングフレームは、ターゲット時間内に帯域２中でデータを送信するようにＳＴＡに指示するために利用される。スケジューリングフレームは、Ｔｏｋｅｎトークンを搬送する。
【０２２８】
Ｓ８０２．ＳＴＡは、帯域１中でスケジューリングフレームを受信し、スケジューリング情報を記憶する。
【０２２９】
Ｓ８０３．ターゲット時間に、ＡＰは、アップリンクデータを送信するようにＳＴＡをトリガするために帯域２中でＳＴＡに短い同期フレームを送り、ここで、短い同期フレームは、帯域１中で送信されるスケジューリングフレームに対応するＴｏｋｅｎトークンを搬送する。
【０２３０】
Ｓ８０４．ＳＴＡは短い同期フレームを受信し、短い同期フレーム中のトークントークンに基づいて前に記憶されたスケジューリング情報を読み取る。
【０２３１】
Ｓ８０５．ＳＴＡは、読み取られたスケジューリング情報に基づいてアップリンクデータフレームを送信する。
【０２３２】
この方式では、スケジューリング情報は、帯域１中で送信され、帯域２では、同期を実装するためにアップリンク送信が短い同期フレームを利用することによってトリガされる。短い同期フレームは、帯域２のオーバーヘッドを低減し、帯域２のスループットを増加させ、帯域２のレイテンシを低減することができる。
【０２３３】
他の例では、ＲＴＳ／ＣＴＳフレームは、アップリンクデータを送信するようにＳＴＡをトリガするために利用され得る。
【０２３４】
図９は、ＲＴＳ／ＣＴＳを利用することによってデータ送信を実行することの概略フローチャートである。
【０２３５】
図９に示されるように、ＡＰとＳＴＡ１とＳＴＡ２との間の対話処理は、以下のステップを含み得る。
【０２３６】
Ｓ９０１．ＡＰは、ＲＴＳフレームを送信する。
【０２３７】
Ｓ９０２．ＳＴＡは、ＣＴＳフレームを送信する。
【０２３８】
Ｓ９０３．ＡＰは、データを送信する。
【０２３９】
Ｓ９０４．ＳＴＡは、ＢＡを送信する。
【０２４０】
ＲＴＳ／ＣＴＳ対話がデータ送信のための時間期間を予約することであることに留意されたい。ＲＴＳ及びＣＴＳを受信するＡＰとＳＴＡとは、ＲＴＳ及びＣＴＳ中の対応する持続時間情報に基づいてサイレント状態を維持し、従って、ＲＴＳ／ＣＴＳの受信当事者と送信当事者とによって実行されるデータ送信は干渉されない。しかし、ＲＴＳ／ＣＴＳが帯域１中で送信され、データが帯域２中で送信される場合、周囲のＳＴＡは、ＡＰとＳＴＡとが予約したいと望む送信機会（Ｔｒａｎｓｍｉｔ  Ｏｐｐｏｒｔｕｎｉｔｙ、ＴＸＯＰ）を通知することができず、従って、ＡＰとＳＴＡとの間のデータ送信が保護されることができない。
【０２４１】
この問題を解決するために、本出願は、デュアルバンドＴＸＯＰ保護のための以下の実装を提供する。
【０２４２】
図１０は、本出願による、データ送信方法の概略フローチャート３である。
【０２４３】
図１０に示されるように、ＡＰとＳＴＡとの間の対話の処理は、以下のステップを含み得る。
【０２４４】
Ｓ１００１．ＡＰは、帯域１中でｅ−ＲＴＳを送信する。
【０２４５】
Ｓ１００２．ＳＴＡは、帯域１中でｅ−ＣＴＳを送信する。
【０２４６】
Ｓ１００３．ＡＰは、帯域１中でデータを送信する。
【０２４７】
Ｓ１００４．ＳＴＡは、帯域１中でＢＡを送信する。
【０２４８】
Ｓ１００５．ＡＰは、帯域２中でデータを送信する。
【０２４９】
Ｓ１００６．ＳＴＡは、帯域２中でＢＡを送信する。
【０２５０】
本出願では、ｅ−ＲＴＳ／ｅ−ＣＴＳ中の「ｅ−」は、拡張（Ｅｎｈａｎｃｅｄ）を表し、拡張バージョンのＲＴＳ／ＣＴＳを表すために利用される。
【０２５１】
表５−１は、ｅ−ＲＴＳ／ｅ−ＣＴＳフレームフォーマットの概略図である。
【０２５２】
【表１６】
2021524702.tif 000018
【０２５３】
ｅ−ＲＴＳとｅ−ＣＴＳとの間の対話では、「（帯域１の）持続時間情報」は、ＲＴＳ中のものと同じであり、帯域１のＴＸＯＰ、例えば、ＴＸＯＰ１を予約するために利用され、ｅ−ＲＴＳ／ｅ−ＣＴＳ中の「帯域２の持続時間情報」は、帯域２のＴＸＯＰ、例えば、ＴＸＯＰ２を予約するために利用される。「帯域２のＴＸＯＰ開始時間」は、帯域１中で帯域２のＴＸＯＰを事前に予約するために利用され得る。しかし、帯域１中でｅ−ＲＴＳとｅ−ＣＴＳとを受信するＡＰとＳＴＡとについて、ＡＰ又はＳＴＡが、「サイトＩＤ／サイトグループＩＤ」によって識別されるＡＰ又はＳＴＡである場合、データ送信は、ｅ−ＲＴＳ又はｅ−ＣＴＳ中で示される対応するＴＸＯＰ中で実行され、ＡＰ又はＳＴＡが、「サイトＩＤ／サイトグループＩＤ」によって識別されるＡＰ又はＳＴＡでない場合、ＡＰ又はＳＴＡは、ｅ−ＲＴＳ又はｅ−ＣＴＳ中で示される対応するＴＸＯＰ時間中にサイレント状態を維持する。対応するＴＸＯＰ時間は、「帯域２の持続時間情報」フィールドと「帯域２のＴＸＯＰ開始時間」フィールドとから取得され得る。
【０２５４】
この方式では、本出願は、デュアルバンド送信を実行するためのＴＸＯＰ保護機構を提供する。帯域１及び／又は帯域２のＴＸＯＰは、ｅ−ＲＴＳ又はｅ−ＣＴＳ中で示され、従って、低レートのｅ−ＲＴＳ又はｅ−ＣＴＳは、帯域１中で送信されることができる。さらに、帯域１及び／又は帯域２のＴＸＯＰでのデータ送信が保護されることができる。
【０２５５】
さらに他の例では、本出願は、肯定応答フレームに関係する分類方式を提供する。肯定応答フレームは、重要な管理フレームである。肯定応答フレームは、受信端がデータを正常に受信したのかどうかを確認するために利用される。本出願では、データが帯域２中で送信されるとき、データ送信側は、肯定応答フレームが受信されることが予想される周波数ブロックを示すために受信端に表示を送り得る。
【０２５６】
図１１は、本出願による、データ送信方法の概略フローチャート４である。
【０２５７】
図１１に示されるように、データの送信側は第１のノードであり得るし、データの受信端は、第２のノードであり得る。肯定応答フレームの交換処理に関係するステップは、以下のステップを含み得る。
【０２５８】
Ｓ１１０１．第１のノードは、帯域２中でデータを送信する。
【０２５９】
Ｓ１１０２．第１のノードは、帯域１中でＢＡＲを送信する。
【０２６０】
Ｓ１１０３．第２のノードは、帯域１中でＢＡを送信する。
【０２６１】
第１のノードによって送信されたデータが帯域２中で送信されるとき、第２のノードは、第１のノードが帯域１を利用することによって肯定応答フレームを受信することを予想することを示され得る。例えば、ステップＳ１１０１において送信されるデータは、ＢＡが受信されることが予想される周波数ブロックを示し得る。
【０２６２】
ステップＳ１１０２が必須のステップでないことに留意されたい。
【０２６３】
例えば、受信端として働く第２のノードは、ＢＡに返答するために帯域１中でチャネルを求めて競合し得る。
【０２６４】
他の例では、第２のノードは、第１のノードがブロック肯定応答要求（ＢＡ  Ｒｅｑｕｅｓｔ、ＢＡＲ）フレームを送った後に帯域１中でＢＡに返答するのを待機し得る。本出願で提供される他の実装では、ＢＡＲは、代替として、代替方式としてマルチユーザブロック肯定応答要求フレーム（Ｍｕｌｔｉ−ｕｓｅｒ  Ｂｌｏｃｋ  Ａｃｋｎｏｗｌｅｄｇｍｅｎｔ  Ｒｅｑｕｅｓｔ  Ｆｒａｍｅ、ＭＵ−ＢＡＲ）を利用し得る。ＢＡＲとＭＵ−ＢＡＲとの両方は、データの受信端に肯定応答フレームを要求するために利用され得る。
【０２６５】
本出願のこの実施形態では、受信端に送信端によって表示を送信するための方法は、送信されたデータフレーム又は管理フレームのフレームヘッダ中の高スループット制御（Ｈｉｇｈ  Ｔｈｒｏｕｇｈｐｕｔ  Ｃｏｎｔｒｏｌ、ＨＴＣ）フィールド中で、肯定応答フレームが戻されることが予想される帯域の帯域ＩＤを示すことを含み得る。本出願のこの実施形態は、第２のノードに第１の周波数ブロック分類範囲を送信することであって、第１の周波数ブロック分類範囲は、フレームタイプが肯定応答フレームであるフレームを含み得るし、肯定応答フレームは、第２の周波数ブロック中でのデータ送信を肯定応答するために利用される、ことを行うために利用され得る方式を提供する。
【０２６６】
表５−２は、ＨＴＣフィールド中に示される帯域ＩＤの概略図である。
【０２６７】
【表１７】
2021524702.tif 000019
【０２６８】
データを送信するときに肯定応答のために周波数ブロック１を利用するように送信側が指示するこの方式では、システムリソース割振りを最適化し、システム効率を最大化するために周波数ブロック２中のリソースは高レートデータ送信のために利用され得る。
【０２６９】
本発明の解決策では、比較的長いエアインターフェース占有時間をもつ管理フレーム及び肯定応答フレーム、比較的低いレート及び比較的低いサービス品質優先度をもつデータは、第１の周波数ブロック中で送信され、比較的高レート及び比較的高いサービス品質優先度をもつデータは、第２の周波数ブロック中で送信され、従って、高レートデータ送信を実行し、システムスループットレートを最適化するために第２の周波数ブロックが十分に利用され、それによって、システムレイテンシを低減する。
【０２７０】
さらに、８０２．１１ａｄ標準は、低周波のＭＡＣレイヤと高周波のＭＡＣレイヤとにおけるインターフェースを定義し、インターフェースは、ＳＴＡ中で異なるレイヤでＭＡＣフレームのコンテンツを転送するために利用される。この機構は、高速セッション転送（Ｆａｓｔ  Ｓｅｓｓｉｏｎ  Ｔｒａｎｓｆｅｒ、ＦＳＴ）と呼ばれる。それぞれのＭＡＣインターフェースを利用することによって、２つのノード（例えば、ＳＴＡ１及びＳＴＡ２）は、低周波のＭＡＣ（及び低周波のＰＨＹ）レイヤを利用することによって高周波のＭＡＣフレームを送り得る。この機構は、オンチャネルトンネリング（Ｏｎ−Ｃｈａｎｎｅｌ  Ｔｕｎｎｅｌｉｎｇ、ＯＣＴ）機構とも呼ばれる。
【０２７１】
図１２は、ノードの概略構造図である。図１２に示されるように、ＳＴＡ１の高周波のＭＡＣデータは、高周波のＭＡＣフレームを取得するために内部ＭＡＣインターフェースを利用することによってＳＴＡ１の低周波のＭＡＣレイヤに転送され、次いで、物理（Ｐｈｙｓｉｃａｌ、ＰＨＹ）レイヤにおいて低周波のデータパケットにカプセル化され、ＳＴＡ２の低周波受信機に送信される。このデータ送信方式では、単一の帯域送信がマルチバンド送信と置き換えられ得るし、即ち、この方式は、複数の周波数ブロックを利用することによって他のノードにノードのＭＡＣにフレームを送信する方法を提供する。ただし、周波数ブロックごとに、高レートフレームと低レートフレームとが混合された方式で送信され得る。従って、周波数ブロックの全体的なスループットは低く、周波数ブロックの全体的なレイテンシは大きく、これは、送信レート又は送信品質のサービスの要件を満たすことができない。
【０２７２】
本出願で提供されるデータ送信方式では、送信されるべきフレームは、分類属性値に基づいて分類され、従って、ノード間の全体的なスループットレートが改善されることができ、それによって、ノード間の平均レイテンシを低減する。
【０２７３】
実施形態６
図１３は、本出願の実施形態による、ノード装置１３００の概略ブロック図である。
【０２７４】
実施形態では、図１３に示された装置１３００は、上記の方法実施形態における第１のノード側上の装置に対応し得るし、方法における第１のノードの任意の機能を有し得る。任意選択で、本出願のこの実施形態における装置１３００は、第１のノードであり得るか、又は第１のノード中のチップであり得る。装置１３００は、処理モジュール１３１０とトランシーバモジュール１３２０とを含み得る。任意選択で、装置１３００は、ストレージモジュール１３３０をさらに含み得る。
【０２７５】
処理モジュール１３１０は、上記の方法実施形態におけるステップＳ２０１を実行するように構成され得るか、又はステップＳ３０１を実行するように構成され得る。本出願で提供される一実装では、処理モジュール１３１０は、送信されるべきフレームの分類属性値と第１の周波数ブロック分類範囲とに基づいて、送信されるべきフレームを送信するために利用されるターゲット周波数ブロックを決定するようにさらに構成され得る。
【０２７６】
トランシーバモジュール１３２０は、ステップＳ２０２及びＳ２０３を実行するように構成され得るか、又は
ステップＳ３０２、Ｓ３０３、及びＳ３０４を実行するように構成され得るか、又は
ステップＳ５０１又はＳ５０２を実行するように構成され得る。
【０２７７】
本出願のこの実施形態では、装置１３００は、上記の方法における第２のノードの任意の機能を有することもある。例えば、トランシーバモジュール１３２０は、ステップＳ５０２を実行するように構成され得る。
【０２７８】
本出願のこの実施形態では、第１のノードは、ＡＰであり得るか、又はＳＴＡであり得る。第１のノードは、上記の方法における様々な送信されるべきフレームの送信側として利用されるＡＰ又はＳＴＡによって実行されるステップを実行し得る。さらに、第１のノードは、上記の方法における送信されるべきフレームの受信端又は第２のノードとして利用されるＡＰ又はＳＴＡによって実行されるステップを実行し得る。
【０２７９】
本出願のこの実施形態では、トランシーバモジュール１３２０は、ステップＳ６０５を実行するか、又は、ステップＳ６０３及びＳ６０５を実行するか、又は、ステップＳ６０６を実行するか、又は、ステップＳ６０１、Ｓ６０２及びＳ６０６を実行するか、又は、ステップＳ６０１、Ｓ６０２、Ｓ６０４及びＳ６０６を実行するか、或いは、
ステップＳ８０１を実行するか、又はステップＳ８０２、Ｓ８０３、及びＳ８０４を実行するか、或いは、
ステップＳ１００１、Ｓ１００３及びＳ１００５を実行するか、又は、ステップＳ１００２、Ｓ１００４及びＳ１００６を実行するか、或いは、
ステップＳ１１０１及びＳ１１０２を実行するか、又は、ステップＳ１００３を実行する
ように構成され得る。
【０２８０】
本出願のこの実施形態では、第２のノードは、ＡＰ又はＳＴＡであり得る。
【０２８１】
本出願のこの実施形態における装置１３００は、上記の実施形態における方法における第１のノードに対応し得ることを理解されたい。装置１３００中のモジュールが有する上記の管理動作及び／又は機能、並びに、モジュールが有する他の管理動作及び／又は機能は、上記の方法の対応するステップを実装するために利用される。簡潔のために、本明細書では、詳細を再び説明しない。
【０２８２】
代替として、装置１３００は、例えば、チップと一般に呼ばれるユニバーサル処理システムとして構成され得る。処理モジュール１３１０は、処理機能を与える１つ又は複数のプロセッサを含み得る。トランシーバモジュール１３２０は、例えば、入出力インターフェース、ピン、又は回路であり得る。入出力インターフェースは、チップシステムと外側との間での情報対話を担当するように構成され得る。例えば、入出力インターフェースは、処理のためにチップの外に他のモジュールによって入力されたスケジューリング要求メッセージを出力し得る。処理モジュールは、上記の方法実施形態における第１のノードの機能を実装するためにストレージモジュール中に記憶されたコンピュータ実行可能命令を実行し得る。例では、装置１３００中に任意選択で含まれるストレージモジュール１３３０は、チップの内のストレージユニット、例えば、レジスタ又はキャッシュであり得るか、又はストレージモジュール１３３０は、チップの外のストレージユニット、例えば、読取り専用メモリ（Ｒｅａｄ−Ｏｎｌｙ  Ｍｅｍｏｒｙ、略してＲＯＭ）、静的情報と命令とを記憶することができる他のタイプの静的ストレージデバイス、又はランダムアクセスメモリ（Ｒａｎｄｏｍ  Ａｃｃｅｓｓ  Ｍｅｍｏｒｙ、略してＲＡＭ）であり得る。
【０２８３】
他の例では、図１４は、本出願の実施形態による、ノード側の他の通信装置１４００の概略ブロック図である。本出願のこの実施形態における装置１４００は、上記の方法実施形態における第１のノードであり得るし、装置１４００は、上記の方法実施形態における第１のノードの機能の一部又は全部を実装するように構成され得る。装置１４００は、プロセッサ１４１０と、ベースバンド回路１４１４と、無線周波数回路１４４０と、アンテナ１４５０とを含み得る。任意選択で、装置１４００は、メモリ１４２０をさらに含み得る。装置１４００の全ての構成要素は、バス１４６０を利用することによって互いに結合される。バスシステム１４６０は、データバスを含み、電力バスと、制御バスと、ステータス信号バスとをさらに含む。しかし、明確な説明のために、バスは全て、図ではバスシステム１４６０としてマークされている。
【０２８４】
プロセッサ１４１０は、第１のノードを制御するように構成され得るし、上記の実施形態における第１のノードによって実行される処理を実行するように構成される。プロセッサ１４１０は、上記の方法実施形態における第１のノードに関係するプロセシング処理及び／又は本出願において説明された技術の他の処理を実行し得るし、オペレーティングシステムをさらに動作し得る。プロセッサ１４１０は、バスを管理することを担当し、メモリ中に記憶されたプログラム又は命令を実行し得る。
【０２８５】
ベースバンド回路１４１４と、無線周波数回路１４４０と、アンテナ１４５０とは、第１のノードと他のノードとの間の無線通信をサポートするために上記の実施形態における第１のノードと第２のノードとの間での情報の受信及び送信をサポートするように構成され得る。第２のノードは、ＡＰ又はＳＴＡであり得る。
【０２８６】
例では、第２のノードによって送信され、ＰＨＹレイヤによってカプセル化される送信されるべきフレームは、アンテナ１４５０を利用することによって受信される。送信されるべきフレームに対してフィルタ処理、増幅、ダウンコンバージョン、及びデジタル化などの処理が無線周波数回路１４４０によって実行され、復号及びプロトコルベースのデータカプセル化解除などのベースバンド処理がベースバンド回路１４１４によって実行された後、プロセッサ１４１０は、第２のノードによって送信された送信されるべきフレーム中で搬送されるサービスデータとシグナリング情報とを回復するために処理を実行する。さらに他の例では、第１のノードによって送信され、サービスデータとシグナリング情報とを搬送する送信されるべきフレームは、プロセッサ１４１０によって処理され得るし、次いで、送信されるべきフレームに対してプロトコルベースのカプセル化及びコーディングなどのベースバンド処理が、ベースバンド回路１４１４によって実行され、アナログ変換、フィルタ処理、増幅、及びアップコンバージョンなどの無線周波数処理が、無線周波数回路１４４０によって実行された後、送信されるべきフレームは、アンテナ１４５０を利用することによって第２のノードに送信される。
【０２８７】
メモリ１４２０は、第１のノードのプログラムコードとデータとを記憶するように構成され得るし、メモリ１４２０は、図１３中のストレージモジュール１３３０であり得る。ベースバンド回路１４１４と、無線周波数回路１４４０と、アンテナ１４５０とは、第２のアクセスポイントと他のネットワークエンティティとの間の通信、例えば、第２のアクセスポイントとコアネットワーク側のネットワーク要素との間の通信をサポートするようにさらに構成され得ることが理解され得る。図１４に示されるように、メモリ１４２０は、プロセッサ１４１０から分離されている。しかし、メモリ１４２０又はメモリ１４２０の任意の部分が装置１４００の外側に位置し得ることを当業者は非常に容易に理解する。例えば、メモリ１４２０は、無線ノードから分離された伝送線路及び／又はコンピュータ製品を含み得る。これらの媒体は、バスインターフェース１４６０を利用することによってプロセッサ１４１０によってアクセスされることができる。代替として、メモリ１４２０又はメモリ１４２０の任意の部分は、プロセッサ１４１０に統合され得るし、例えば、キャッシュ及び／又は汎用レジスタであり得る。
【０２８８】
図１４が第１のノードの簡略化された設計のみを示すことが理解され得る。例えば、実際の適用例では、第１のノードは、任意の量の送信機、受信機、プロセッサ、メモリなどを含み得るし、本発明を実装することができる全ての第１のノードが本発明の保護範囲内に入る。
【０２８９】
装置１４００が受信端として利用されるとき、装置１４００は、上記の方法実施形態における第２のノードの一部又は全部の機能を実行するようにさらに構成され得ることに留意されたい。さらに、装置１４００は、上記の方法実施形態におけるＡＰ又はＳＴＡの一部又は全部の機能を実行するようにさらに構成され得る。
【０２９０】
本出願の実施形態は、コンピュータ記憶媒体をさらに提供する。コンピュータ可読記憶媒体は、命令を記憶し、ここで、命令は、処理回路中の１つ又は複数のプロセッサによって実行され得る。命令がコンピュータ上で動作されるとき、コンピュータは、上記の態様における方法を実行することが可能になる。
【０２９１】
本出願の実施形態は、チップシステムをさらに提供する。例えば、チップシステムは、第１のノード又は第２のノードが上記の実施形態における機能を実装する、例えば、上記の方法におけるデータ及び／又は情報を生成又は処理するのをサポートするように構成されたプロセッサを含む。
【０２９２】
可能な設計では、チップシステムはメモリをさらに含み得る。メモリは、第１のノード又は第２のノードのために必要であるプログラム命令とデータとを記憶するように構成される。チップシステムは、チップを含み得るか、又はチップと他の個別デバイスとを含み得る。
【０２９３】
本出願の実施形態は、メモリに結合されるように構成されたプロセッサをさらに提供する。プロセッサは、上記の実施形態のうちの任意の１つにおける第１のノードの方法及び機能を実行するように構成される。
【０２９４】
本出願の実施形態は、メモリに結合されるように構成されたプロセッサをさらに提供する。プロセッサは、上記の実施形態のうちの任意の１つにおける第２のノードの方法及び機能を実行するように構成される。
【０２９５】
本出願の実施形態は、命令を含むコンピュータプログラム製品をさらに提供する。コンピュータプログラム製品がコンピュータ上で動作するとき、コンピュータは、上記の実施形態のうちの任意の１つにおける第１のノードに関係する方法及び機能を実行することが可能になる。
【０２９６】
本出願の実施形態は、命令を含むコンピュータプログラム製品をさらに提供する。コンピュータプログラム製品がコンピュータ上で動作するとき、コンピュータは、上記の実施形態のうちの任意の１つにおける第２のノードに関係する方法及び機能を実行することが可能になる。
【０２９７】
本出願の実施形態は、無線通信システムをさらに提供する。システムは、上記の実施形態における第１のノードと少なくとも１つの第２のノードとを含む。
【０２９８】
上記の実施形態の全部又は一部は、ソフトウェア、ハードウェア、ファームウェア、又はそれらの任意の組み合わせによって実装され得る。ソフトウェアが実施形態を実装するために利用されるとき、実施形態は、コンピュータプログラム製品の形態で完全に又は部分的に実装され得る。コンピュータプログラム製品は、１つ又は複数のコンピュータ命令を含む。コンピュータプログラム命令がコンピュータ上にロードされ、その上で実行されるとき、本出願による手順又は機能が全て又は部分的に生成される。コンピュータは、汎用コンピュータ、専用コンピュータ、コンピュータネットワーク、又は他のプログラマブル装置であり得る。コンピュータ命令は、コンピュータ可読記憶媒体中に記憶され得るか、又は１つのコンピュータ可読記憶媒体から他のコンピュータ可読記憶媒体に送信され得る。例えば、コンピュータ命令は、ワイヤード（例えば、同軸ケーブル、光ファイバ、又はデジタル加入者回線）又は無線（例えば、赤外線、無線、又はマイクロ波）の方式でウェブサイト、コンピュータ、サーバ、又はデータセンターから他のウェブサイト、コンピュータ、サーバ、又はデータセンターに送信され得る。コンピュータ可読記憶媒体は、コンピュータによってアクセス可能な任意の利用可能な媒体又は１つ又は複数の利用可能な媒体を統合するサーバ又はデータセンターなどのデータストレージデバイスであり得る。利用可能な媒体は、磁気媒体（例えば、フロッピーディスク、ハードディスク、又は磁気テープ）、光媒体（例えば、ＤＶＤ）、半導体媒体（例えば、ソリッドステートドライブ）などであり得る。
【図１】
2021524702.tif 000020
【図２】
2021524702.tif 000021
【図３】
2021524702.tif 000022
【図４】
2021524702.tif 000023
【図５】
2021524702.tif 000024
【図６】
2021524702.tif 000025
【図７】
2021524702.tif 000026
【図８】
2021524702.tif 000027
【図９】
2021524702.tif 000028
【図１０】
2021524702.tif 000029
【図１１】
2021524702.tif 000030
【図１２】
2021524702.tif 000031
【図１３】
2021524702.tif 000032
【図１４】
2021524702.tif 000033
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
第１のノードによって、送信されるべきフレームを取得するステップと、
前記第１のノードによって、その分類属性値が第１の周波数ブロック分類範囲に属する送信されるべきフレームを、第１の周波数ブロックを利用することによって第２のノードに送信するステップであって、前記第１の周波数ブロックは、前記第１のノードと前記第２のノードとの間の少なくとも２つの周波数ブロックの１つであり、前記送信されるべきフレームの前記分類属性値は、次の情報、即ち、フレームタイプ、送信レート、サービスの品質、サービスアクセスカテゴリの品質、空間ストリーム、送信持続期間、データパケットフォーマット、又はデータパケット帯域幅の少なくとも１つを含む、ステップと
を含む、データ送信方法。
【請求項２】
前記第１の周波数ブロック分類範囲は、次の条件、即ち、
前記フレームタイプがデータフレームであり、かつ、前記送信レートが、事前設定された送信レート分類閾値以下である、ことと、
前記フレームタイプがデータフレームであり、かつ、前記サービスの品質が、事前設定された品質分類閾値以下である、ことと
のうちの任意の１つ又は任意の組み合わせを含む、
請求項１に記載の方法。
【請求項３】
前記第１の周波数ブロック分類範囲は、
前記フレームタイプが、第１タイプフレームである、ことと、
前記第１タイプフレームは、プローブ要求フレーム、プローブ応答フレーム、関連付け要求フレーム、関連付け応答フレーム、認証フレーム、及び、第１のサービスをセットアップ又はティアダウンするために利用される管理フレーム、のうちの少なくとも１つを含み、前記第１のサービスは、トラフィックストリーム、沈黙時間期間、ターゲットウェイクアップ時間、トンネル化されたダイレクトリンクセットアップ、及び、ブロック肯定応答フレーム、のうちの少なくとも１つを含む、ことと
を含む、
請求項１又は２に記載の方法。
【請求項４】
前記第１の周波数ブロック分類範囲は、
前記フレームタイプが第３タイプフレームであり、前記第３タイプフレームは、第２の周波数ブロックにおいて、事前設定されたターゲット時間に、前記第２のノードによって利用される指示情報と、ダイアログトークンとを搬送する、こと
を含み、
前記方法は、
前記第１のノードによって、その分類属性値が第２の周波数ブロック分類範囲に属する送信されるべきフレームを、前記少なくとも２つの周波数ブロックにおける前記第２の周波数ブロックを利用することによって送信するステップ
をさらに含み、
前記第２の周波数ブロック分類範囲は、
前記フレームタイプが短い同期フレームであり、かつ、前記短い同期フレームは、前記第３タイプフレームに対応する前記ダイアログトークンを搬送する、ことと、
前記ダイアログトークンは、前記第２の周波数ブロックにおいて利用され、かつ前記第３タイプフレームにおいて搬送され、かつ前記短い同期フレームに対応する前記指示情報を、前記第２の周波数ブロックにおいて前記ターゲット時間に前記短い同期フレームを受信したときに読み込むこと、を前記第２のノードに指示するために利用される、ことと
を含む、
請求項１〜３のいずれか１項に記載の方法。
【請求項５】
前記第３タイプフレームは、
第１のビーコンフレームであって、前記第１のビーコンフレームは、前記第２の周波数ブロックにおいて、前記ターゲット時間に利用されるビーコン情報を搬送する、第１のビーコンフレームと、
第１のスケジューリングフレームであって、前記第１のスケジューリングフレームは、前記第２の周波数ブロックにおいて、前記ターゲット時間に利用されるスケジューリング情報を搬送する、第１のスケジューリングフレームと
を含む、
請求項４に記載の方法。
【請求項６】
前記方法は、
前記第１のノードによって、その分類属性値が第２の周波数ブロック分類範囲に属する送信されるべきフレームを、前記少なくとも２つの周波数ブロックにおける第２の周波数ブロックを利用することによって送信するステップであって、前記第２の周波数ブロックは、前記第１のノードと前記第２のノードとの間の前記少なくとも２つの周波数ブロックの他の１つである、ステップ
をさらに含む、
請求項１〜３のいずれか１項に記載の方法。
【請求項７】
前記第２の周波数ブロック分類範囲は、
前記フレームタイプは、第２タイプフレームであり、かつ、前記第２タイプフレームは、前記第２の周波数ブロックにおける同期機能を実装するために利用される同期タイプフレームを含む、こと
を含む
請求項６に記載の方法。
【請求項８】
前記同期タイプフレームは、次のもの、即ち、
前記第２の周波数ブロックにおいて送信されるために利用されるビーコンフレームと、
前記第２の周波数ブロックのスケジューリング情報を搬送するスケジューリングフレームと
のうちの少なくとも１つを含む、
請求項７に記載の方法。
【請求項９】
前記第１の周波数ブロック分類範囲は、次の条件、即ち、
前記送信レートは、事前設定された送信レート分類閾値以下である、ことと、
前記サービスの品質は、サービス分類閾値の事前設定された品質以下である、ことと
のうちの任意の１つ又は任意の組み合わせを含む、
請求項４〜８のいずれか１項に記載の方法。
【請求項１０】
前記第１の周波数ブロック分類範囲は、次の条件、即ち、
前記送信持続期間は、事前設定された持続期間分類閾値以上である、ことと、
前記サービスアクセスカテゴリの品質は、事前設定された分類アクセスカテゴリに属する、ことと、
前記データパケットフォーマットは、事前設定された分類パケットフォーマットに属する、ことと
のうちの任意の１つ又は任意の組み合わせである、
請求項１〜９のいずれか１項に記載の方法。
【請求項１１】
前記方法は、
前記第１のノードによって、その分類属性値が前記第１の周波数ブロック分類範囲に属さない送信されるべきフレームを、前記少なくとも２つの周波数ブロックの任意の１つを利用することによって、前記第２のノードに送信するステップ
をさらに含む、
請求項１〜３のいずれか１項に記載の方法。
【請求項１２】
第１のノードであって、前記第１のノードは、
送信されるべきフレームを取得するために利用される、処理モジュールと、
その分類属性値が第１の周波数ブロック分類範囲に属する送信されるべきフレームを、第１の周波数ブロックを利用することによって、第２のノードに送信するために利用される、トランシーバモジュールと
を備え、
前記第１の周波数ブロックは、前記第１のノードと前記第２のノードとの間の少なくとも２つの周波数ブロックのうちの１つであり、前記送信されるべきフレームの前記分類属性値は、次の情報、即ち、フレームタイプ、送信レート、サービスの品質、サービスアクセスカテゴリの品質、空間ストリーム、送信持続期間、データパケットフォーマット、又はデータパケット帯域幅のうちの少なくとも１つを含む、
第１のノード。
【請求項１３】
前記第１の周波数ブロック分類範囲は、次の条件、即ち、
前記フレームタイプは、データフレームであり、かつ、前記送信レートは、事前設定されたレート分類閾値以下である、ことと、
前記フレームタイプは、データフレームであり、かつ、前記サービスの品質は、事前設定された品質分類閾値以下である、ことと
のうちの任意の１つ又は任意の組み合わせを含む、
請求項１２に記載の第１のノード。
【請求項１４】
前記第１の周波数ブロック分類範囲は、
前記フレームタイプは、第１タイプフレームである、ことと、
前記第１タイプフレームは、プローブ要求フレーム、プローブ応答フレーム、関連付け要求フレーム、関連付け応答フレーム、認証フレーム、及び、第１のサービスをセットアップ又はティアダウンするために利用される管理フレーム、のうちの少なくとも１つを含み、前記第１のサービスは、トラフィックストリーム、沈黙時間期間、ターゲットウェイクアップ時間、トンネル化されたダイレクトリンクセットアップ、及びブロック肯定応答フレーム、のうちの少なくとも１つを含む、ことと
を含む、
請求項１２又は１３に記載の第１のノード。
【請求項１５】
前記第１の周波数ブロック分類範囲は、
前記フレームタイプは、第３タイプフレームであり、前記第３タイプフレームは、第２の周波数ブロックにおいて、事前設定されたターゲット時間に、前記第２のノードによって利用される指示情報と、ダイアログトークンとを搬送する、ことと、
前記トランシーバモジュールは、その分類属性値が第２の周波数ブロック分類範囲に属する送信されるべきフレームを、前記少なくとも２つの周波数ブロックにおける前記第２の周波数ブロックを利用することによって送信するようにさらに構成される、ことと
を含み、
前記第２の周波数ブロック分類範囲は、
前記フレームタイプは、短い同期フレームであり、かつ前記短い同期フレームは、前記第３タイプフレームに対応する前記ダイアログトークンを搬送する、ことと、
前記ダイアログトークンは、前記第２の周波数ブロックにおいて利用され、かつ、前記第３タイプフレームにおいて搬送され、かつ、前記短い同期フレームに対応する前記指示情報を、前記第２の周波数ブロックにおいて前記ターゲット時間に前記短い同期フレームを受信したときに読み込むように、前記第２のノードに指示するために利用される、ことと
を含む、
請求項１２〜１４のいずれか１項に記載の第１のノード。
【請求項１６】
前記第３タイプフレームは、
第１のビーコンフレームであって、前記第１のビーコンフレームは、前記第２の周波数ブロックにおいて、前記ターゲット時間に利用されるビーコン情報を搬送する、第１のビーコンフレームと、
第１のスケジューリングフレームであって、前記第１のスケジューリングフレームは、前記第２の周波数ブロックにおいて、前記ターゲット時間に利用されるスケジューリング情報を搬送する、第１のスケジューリングフレームと
を含む、
請求項１５に記載の第１のノード。
【請求項１７】
前記トランシーバモジュールは、
その分類属性値が第２の周波数ブロック分類範囲に属する送信されるべきフレームを、前記少なくとも２つの周波数ブロックにおける第２の周波数ブロックを利用することによって送信するようにさらに構成され、
前記第２の周波数ブロックは、前記第１のノードと前記第２のノードとの間の前記少なくとも２つの周波数ブロックの他の１つである、
請求項１２〜１４のいずれか１項に記載の第１のノード。
【請求項１８】
前記第２の周波数ブロック分類範囲は、
前記フレームタイプは、第２タイプフレームであり、かつ前記第２タイプフレームは、前記第２の周波数ブロックにおける同期機能を実装するために利用される同期タイプフレームを含む、こと
を含む、
請求項１７に記載の第１のノード。
【請求項１９】
前記同期タイプフレームは、次のもの、即ち、
前記第２の周波数ブロックにおいて送信されるために利用されるビーコンフレームと、
前記第２の周波数ブロックのスケジューリング情報を搬送するスケジューリングフレームと
の少なくとも１つを含む、
請求項１８に記載の第１のノード。
【請求項２０】
前記第１の周波数ブロック分類範囲は、次の条件、即ち、
前記送信レートは、事前設定された送信レート分類閾値以下である、ことと、
前記サービスの品質は、サービス分類閾値の事前設定された品質以下である、ことと
のうちの任意の１つ又は任意の組み合わせを含む、
請求項１５〜１９のいずれか１項に記載の第１のノード。
【請求項２１】
前記第１の周波数ブロック分類範囲は、次の条件、即ち、
前記送信持続期間は、事前設定された持続期間分類閾値以上である、ことと、
前記サービスアクセスカテゴリの品質は、事前設定された分類アクセスカテゴリに属する、ことと、
前記データパケットフォーマットは、事前設定された分類パケットフォーマットに属する、ことと
のうちの任意の１つ又は任意の組み合わせを含む、
請求項１２〜２０のいずれか１項に記載の第１のノード。
【請求項２２】
前記トランシーバモジュールは、
前記第１のノードによって、その分類属性値が前記第１の周波数ブロック分類範囲に属さない送信されるべきフレームを、前記少なくとも２つの周波数ブロックの任意の１つを利用することによって前記第２のノードに送信する
ようにさらに構成される、
請求項１２〜１４のいずれか１項に記載の第１のノード。
【請求項２３】
コンピュータに、請求項１〜１１のいずれか１項に記載の方法を実行させる、プログラム。
【請求項２４】
プログラムが格納されるコンピュータ可読記録媒体であって、前記プログラムは、実行されたときに、コンピュータに、請求項１〜１１のいずれか１項に記載の方法を実行できるようにする、コンピュータ可読記録媒体。
【国際調査報告】
2021524702.tif 000034
2021524702.tif 000035
2021524702.tif 000036
2021524702.tif 000037